(57)【特許請求の範囲】
【請求項１】
複数のキャリアで構成されたＯＦＤＭ（Orthogonal Frequency Division Multiplexing：直交周波数分割多重）信号を受信するＯＦＤＭ受信装置であって、
受信された時間領域のＯＦＤＭ信号を周波数領域のＯＦＤＭ信号に変換して出力する高速フーリエ変換部と、
前記周波数領域のＯＦＤＭ信号に対して波形等化を行い、波形等化後のＯＦＤＭ信号を出力する等化部と、
前記波形等化後のＯＦＤＭ信号を構成する複数のキャリアの信号点に基づいて、これらのキャリアの変調方式を推定し、得られた推定結果を出力する変調方式推定部とを備え、
前記推定結果に応じて、伝送された情報を得るための処理を前記受信されたＯＦＤＭ信号に対して行うように構成され、
前記変調方式推定部は、
前記波形等化後のＯＦＤＭ信号を構成する複数のキャリアの信号点のうち、Ｉ−Ｑ平面上における、推定する変調方式に基づく所定の領域に存在する信号点のＩ軸座標の平均値及びＱ軸座標の平均値を算出し、前記算出されたＩ軸座標の平均値及びＱ軸座標の平均値に基づいて、前記波形等化後のＯＦＤＭ信号を構成する複数のキャリアの変調方式を推定するものである
ことを特徴とするＯＦＤＭ受信装置。
【請求項２】
請求項１に記載のＯＦＤＭ受信装置において、
前記変調方式推定部で得られた推定結果に基づいて、前記波形等化後のＯＦＤＭ信号に対して軟判定を行い、得られた結果を出力するデマップ部を更に備える
ことを特徴とするＯＦＤＭ受信装置。
【請求項３】
請求項２に記載のＯＦＤＭ受信装置において、
前記周波数領域のＯＦＤＭ信号から、前記受信されたＯＦＤＭ信号のキャリアの変調方式を示す伝送制御情報を取得して出力する伝送制御情報取得部と、
前記伝送制御情報取得部が前記伝送制御情報を取得している場合には、前記伝送制御情報取得部が出力する前記伝送制御情報を選択し、その他の場合には、前記変調方式推定部が出力する推定結果を選択して、選択結果を前記デマップ部に出力する選択部とを更に備え、
前記デマップ部は、
前記選択部の出力に基づいて、前記波形等化後のＯＦＤＭ信号に対して軟判定を行うものである
ことを特徴とするＯＦＤＭ受信装置。
【請求項４】
それぞれが複数のキャリアから構成される、複数のセグメントから構成され、所定のセグメントを用いて部分受信用の情報の伝送が可能であるＯＦＤＭ信号を受信するＯＦＤＭ受信装置であって、
受信された時間領域のＯＦＤＭ信号を周波数領域のＯＦＤＭ信号に変換して出力する高速フーリエ変換部と、
前記周波数領域のＯＦＤＭ信号に対して波形等化を行い、波形等化後のＯＦＤＭ信号を出力する等化部と、
前記波形等化後のＯＦＤＭ信号を構成する複数のキャリアの信号点に基づいて、これらのキャリアの変調方式を推定し、得られた推定結果を出力する変調方式推定部と、
前記変調方式推定部で得られた推定結果に基づいて、前記受信されたＯＦＤＭ信号において前記部分受信用の情報の伝送が行われているか否かを判定する判定部と、
前記判定部によって得られた判定結果に応じて、前記受信されたＯＦＤＭ信号に対して周波数インターリーブの解除を行うデインターリーブ部とを備える
ことを特徴とするＯＦＤＭ受信装置。
【請求項５】
請求項４に記載のＯＦＤＭ受信装置において、
前記判定部は、
前記変調方式推定部で得られた推定結果に基づいて、
前記部分受信用の情報の伝送が可能な所定のセグメントに属する複数のキャリアの変調方式がＱＰＳＫ（Quaternary Phase Shift Keying）又は１６ＱＡＭ（Quadrature Amplitude Modulation）である場合には、前記受信されたＯＦＤＭ信号において前記部分受信用の情報の伝送が行われていると判定し、前記部分受信用の情報の伝送が可能な所定のセグメントに属する複数のキャリアの変調方式が６４ＱＡＭである場合には、前記受信されたＯＦＤＭ信号において前記部分受信用の情報の伝送が行われていないと判定するものである
ことを特徴とするＯＦＤＭ受信装置。
【請求項６】
請求項４に記載のＯＦＤＭ受信装置において、
前記判定部は、
前記変調方式推定部で得られた推定結果に基づいて、
前記部分受信用の情報の伝送が可能な所定のセグメントに属する複数のキャリアの変調方式と、前記部分受信用の情報の伝送が可能な所定のセグメントとは異なるセグメントに属する複数のキャリアの変調方式とが異なる場合には、前記受信されたＯＦＤＭ信号において前記部分受信用の情報の伝送が行われていると判定し、その他の場合には、前記受信されたＯＦＤＭ信号において前記部分受信用の情報の伝送が行われていないと判定するものである
ことを特徴とするＯＦＤＭ受信装置。
【請求項７】
請求項４に記載のＯＦＤＭ受信装置において、
前記周波数領域のＯＦＤＭ信号から、前記受信されたＯＦＤＭ信号において前記部分受信用の情報の伝送が行われているか否かを示す伝送制御情報を取得して出力する伝送制御情報取得部と、
前記伝送制御情報取得部が前記伝送制御情報を取得している場合には、前記伝送制御情報取得部が出力する前記伝送制御情報を選択し、その他の場合には、前記判定部で得られた判定結果を選択して、選択結果を前記デインターリーブ部に出力する選択部とを更に備え、
前記デインターリーブ部は、
前記選択部の出力に基づいて、前記受信されたＯＦＤＭ信号に対して周波数インターリーブの解除を行うものである
ことを特徴とするＯＦＤＭ受信装置。
【請求項８】
請求項４に記載のＯＦＤＭ受信装置において、
前記変調方式推定部で得られた推定結果に基づいて、前記波形等化後のＯＦＤＭ信号に対して軟判定を行い、得られた結果を出力するデマップ部を更に備える
ことを特徴とするＯＦＤＭ受信装置。
【請求項９】
請求項４に記載のＯＦＤＭ受信装置において、
前記周波数領域のＯＦＤＭ信号から、前記受信されたＯＦＤＭ信号の時間インターリーブ長を示す伝送制御情報を取得して出力する伝送制御情報取得部を更に備え、
前記デインターリーブ部は、
前記伝送制御情報取得部において前記時間インターリーブ長を示す伝送制御情報を取得する前に、前記判定部の判定結果に基づいて書き込みアドレスを生成し、前記生成された書き込みアドレスに基づいて、前記受信されたＯＦＤＭ信号のメモリへの書き込みを開始し、かつ、前記伝送制御情報取得部において前記時間インターリーブ長を示す伝送制御情報を取得した後に、前記取得された時間インターリーブ長に基づいて読み出しアドレスを生成し、前記生成された読み出しアドレスに基づいて、前記メモリに書き込まれたＯＦＤＭ信号を読み出して、前記受信されたＯＦＤＭ信号に施された周波数インターリーブ及び時間インターリーブの解除を行うものである
ことを特徴とするＯＦＤＭ受信装置。
【請求項１０】
デジタル変調されたキャリアを受信し、波形等化する等化部と、
前記等化部で波形等化されたキャリアの変調方式を推定する変調方式推定部と、
前記変調方式推定部によって推定された変調方式に基づいて、前記等化部で波形等化されたキャリアに対して軟判定を行い、得られた結果を出力するデマップ部とを備え、
前記変調方式推定部は、
前記等化部で波形等化されたキャリアの信号点のうち、Ｉ−Ｑ平面上における、推定する変調方式に基づく所定の領域に存在する信号点のＩ軸座標の平均値及びＱ軸座標の平均値を算出し、前記算出されたＩ軸座標の平均値及びＱ軸座標の平均値に基づいて、前記等化部で波形等化されたキャリアの変調方式を推定するものである
受信装置。
【請求項１１】
複数のキャリアで構成されたＯＦＤＭ信号を受信するＯＦＤＭ受信方法であって、
受信された時間領域のＯＦＤＭ信号を周波数領域のＯＦＤＭ信号に変換する高速フーリエ変換ステップと、
前記周波数領域のＯＦＤＭ信号に対して波形等化を行い、波形等化後のＯＦＤＭ信号を出力する等化ステップと、
前記波形等化後のＯＦＤＭ信号を構成する複数のキャリアの信号点に基づいて、これらのキャリアの変調方式を推定し、推定結果を得る変調方式推定ステップと、
前記推定結果に応じて、伝送された情報を得るための処理を前記受信されたＯＦＤＭ信号に対して行うステップとを備え、
前記変調方式推定ステップは、
前記波形等化後のＯＦＤＭ信号を構成する複数のキャリアの信号点のうち、Ｉ−Ｑ平面上における、推定する変調方式に基づく所定の領域に存在する信号点のＩ軸座標の平均値及びＱ軸座標の平均値を算出し、前記算出されたＩ軸座標の平均値及びＱ軸座標の平均値に基づいて、前記波形等化後のＯＦＤＭ信号を構成する複数のキャリアの変調方式を推定するものである
ことを特徴とするＯＦＤＭ受信方法。
【請求項１２】
請求項１１に記載のＯＦＤＭ受信方法において、
前記変調方式推定ステップで得られた推定結果に基づいて、前記波形等化後のＯＦＤＭ信号に対して軟判定を行うデマップステップを更に備える
ことを特徴とするＯＦＤＭ受信方法。
【請求項１３】
それぞれが複数のキャリアから構成される、複数のセグメントから構成され、所定のセグメントを用いて部分受信用の情報の伝送が可能であるＯＦＤＭ信号を受信するＯＦＤＭ受信方法であって、
受信された時間領域のＯＦＤＭ信号を周波数領域のＯＦＤＭ信号に変換する高速フーリエ変換ステップと、
前記周波数領域のＯＦＤＭ信号に対して波形等化を行い、波形等化後のＯＦＤＭ信号を出力する等化ステップと、
前記波形等化後のＯＦＤＭ信号を構成する複数のキャリアの信号点に基づいて、これらのキャリアの変調方式を推定し、推定結果を得る変調方式推定ステップと、
前記変調方式推定ステップで得られた推定結果に基づいて、前記受信されたＯＦＤＭ信号において前記部分受信用の情報の伝送が行われているか否かを判定する判定ステップと、
前記判定ステップによって得られた判定結果に応じて、前記受信されたＯＦＤＭ信号に対して周波数インターリーブの解除を行うデインターリーブステップとを備える
ことを特徴とするＯＦＤＭ受信方法。
【請求項１４】
請求項１３に記載のＯＦＤＭ受信方法において、
前記判定ステップは、
前記変調方式推定ステップで得られた推定結果に基づいて、
前記部分受信用の情報の伝送が可能な所定のセグメントに属する複数のキャリアの変調方式と、前記部分受信用の情報の伝送が可能な所定のセグメントとは異なるセグメントに属する複数のキャリアの変調方式とが異なる場合には、前記受信されたＯＦＤＭ信号において前記部分受信用の情報の伝送が行われていると判定し、その他の場合には、前記受信されたＯＦＤＭ信号において前記部分受信用の情報の伝送が行われていないと判定するものである
ことを特徴とするＯＦＤＭ受信方法。
【発明の詳細な説明】
【技術分野】
【０００１】
本発明は、直交周波数分割多重（ＯＦＤＭ：Orthogonal Frequency Division Multiplexing）方式等によってデジタル変調され、伝送された信号を受信する装置及び方法に関する。
【背景技術】
【０００２】
欧州及び日本における地上デジタル放送、並びに無線ＬＡＮ等の伝送方式には、ＯＦＤＭ方式が用いられている。
【０００３】
ＯＦＤＭ方式は、互いに直交する複数のキャリアにデータを割り当てて変復調を行う伝送方式であり、送信側では逆高速フーリエ変換（ＩＦＦＴ：Inverse Fast Fourier Transform）処理を行い、受信側では高速フーリエ変換（ＦＦＴ：Fast Fourier Transform）処理を行う。各キャリアには任意の変調方式を用いることが可能であり、ＱＰＳＫ（Quaternary Phase Shift Keying）、ＱＡＭ（Quadrature Amplitude Modulation：直交振幅変調）等の変調方式も選択可能となっている。
【０００４】
日本において採用されている地上デジタルテレビジョン放送の伝送規格ＩＳＤＢ−Ｔによれば、地上デジタルテレビジョン放送の送信信号は、１３個のＯＦＤＭセグメント（以下では、単に「セグメント」と称する）から構成されている。図３は、ＩＳＤＢ−Ｔに規定された送信信号のスペクトル図である。各セグメントは、テレビジョン放送１チャネルの伝送帯域幅を１４等分した帯域幅を有し、複数のキャリアで構成されている。
【０００５】
また、１つ又は複数のセグメントが１つの階層を構成し、階層ごとに変調方式（例えば、ＱＰＳＫ、１６ＱＡＭ、又は６４ＱＡＭ）や内符号の符号化率（例えば、１／２、２／３、又は３／４）等の伝送パラメータを設定することができる。なお、同時に伝送可能な階層数は最大３（Ａ階層、Ｂ階層、Ｃ階層）であり、後に述べる部分受信部についても１つの階層として数えられる。更に、ＩＳＤＢ−Ｔでは、伝送路における外乱の影響を軽減するため、周波数軸上で施すインターリーブ（周波数インターリーブ）と、時間軸上で施すインターリーブ（時間インターリーブ）とを行うものとしている。
【０００６】
ところで、ＩＳＤＢ−Ｔにて規定されている周波数インターリーブに関しては、ＯＦＤＭ信号を構成する階層の構造・内容に依存して、処理の仕方に違いがある。その具体例について説明する。
【０００７】
図２５は、単一階層伝送を行う場合のＯＦＤＭ信号の周波数インターリーブの様子を示す模式図である。図２５は、Ａ階層（変調方式は６４ＱＡＭ）のみが伝送される場合について示している。このように、単一階層伝送の場合の周波数インターリーブは、伝送帯域全体を横断するように、１３個全てのセグメントに属するキャリアが互いに入れ替わってインターリーブされる。
【０００８】
一方、図２６は、部分受信のための２階層伝送を行う場合のＯＦＤＭ信号の周波数インターリーブの様子を示す模式図である。図２６は、部分受信用のＡ階層（変調方式はＱＰＳＫ）と、部分受信用ではないＢ階層（変調方式は６４ＱＡＭ）とが伝送される場合について示している。図２６のように、ＩＳＤＢ−Ｔでは、Ａ階層が、伝送帯域の中央にあるセグメント番号０のセグメントのみから構成され、そのセグメント内で周波数インターリーブが行われるようにすることができる。このとき、中央のセグメントに属するキャリアはその他のセグメントのキャリアと入れ替わることがない。したがって、中央のセグメントのみを受信できる受信装置にてサービスの一部を受信すること、すなわち、「部分受信」が可能になっている。以下では、部分受信用の階層を部分受信部と称する。
【０００９】
以上のように、ＩＳＤＢ−Ｔでは、階層の構成・内容、部分受信部の有無により、周波数インターリーブの処理が大きく異なっている。このため、受信したＯＦＤＭ信号に対して周波数デインターリーブを行うためには、部分受信部が伝送されているか否かによって処理を変える必要がある。また、受信したＯＦＤＭ信号に対して誤り訂正を行うためには、伝送されたデータを軟判定（デマップ）する際に、復調されたキャリアの変調方式が識別されている必要がある。
【００１０】
部分受信部の有無や変調方式等の伝送パラメータに関する情報を得るには、ＩＳＤＢ−Ｔの場合、ＯＦＤＭ送信信号中に挿入されたＴＭＣＣ（Transmission and Multiplexing Configuration Control）情報と呼ばれる伝送制御情報を取得して用いるのが一般的である。
【００１１】
ＴＭＣＣ情報は、受信装置において復調や誤り訂正の処理に必要となる、変調方式、符号化率、時間インターリーブ長、セグメント数といった階層ごとの伝送パラメータや、部分受信部の有無を示すフラグ等を含んだ情報である。ＴＭＣＣ情報は、ＯＦＤＭ信号の所定のキャリア（以下では、ＴＭＣＣキャリアと称する）に所定のシンボルタイミングで挿入されており、その挿入位置が受信側で既知であるので、受信側において、必要に応じて各種の情報を取得することが可能である。
【００１２】
ＩＳＤＢ−Ｔの伝送フォーマットによれば、２０４個のシンボルを１周期として１フレームが構成されている。ＴＭＣＣ情報は、２０４ビットを有しており、１シンボルに１ビットの割合でＴＭＣＣキャリアによって伝送される。例えば、部分受信部の有無を示す情報、すなわち部分受信フラグは、シンボル番号２７のシンボルにおいてＴＭＣＣキャリアによって伝送される。また、各階層の変調方式の情報に関しては、Ａ階層についてはシンボル番号２８〜３０、Ｂ階層についてはシンボル番号４１〜４３、Ｃ階層についてはシンボル番号５４〜５６のシンボルにおいて、ＴＭＣＣキャリアによって伝送される。
【００１３】
このような伝送フォーマットのＯＦＤＭ信号を受信する受信装置において、選局動作等が行われ、選択されたＯＦＤＭ信号の受信開始から、復調、誤り訂正が行われて映像、音声等が出力されるまでに要する時間に着目する。
【００１４】
図２７は、ＴＭＣＣ情報の取得タイミングについての説明図である。図２７に示されているように、受信装置が、時刻ｔ０に受信動作を開始し、続いて受信信号の入力レベル調整や周波数同期等を行い、時刻ｔ１にＴＭＣＣ情報の取得を開始し、更に時刻ｔ２に２０４ビット全てのＴＭＣＣ情報の取得を完了したとする。受信装置は、部分受信フラグの取得を完了した後、これに基づいてＯＦＤＭ信号のセグメント構造を認識し、周波数デインターリーブ、時間デインターリーブを行い、更にデマップ、誤り訂正などの処理を順次行うことになる。
【００１５】
ＴＭＣＣ情報の取得を開始してから部分受信フラグの取得が完了するまでの時間Δｔａは、シンボル番号２８でＴＭＣＣ情報の取得を開始し、次のフレームのシンボル番号２７で部分受信フラグの取得が完了する場合に最大となる。このとき時間Δｔａは、２０４個のシンボルの伝送に要する時間となる。この時間は、ＩＳＤＢ−Ｔに規定されたＭｏｄｅ３、ガード比１／４の場合、約２５７ｍｓｅｃにもなる。
【００１６】
一方、各階層の変調方式の情報を取得するために要する時間についても同様である。例えば、Ａ階層の変調方式を識別するために必要なＴＭＣＣ情報の取得動作開始から完了までの時間は、シンボル番号３１でＴＭＣＣ情報の取得を開始し、シンボル番号３０で取得を完了するとき最大となり、やはり２０４シンボルを伝送するための約２５７ｍｓｅｃ（Ｍｏｄｅ３、ガード比１／４の場合）もの時間がかかる（Ｂ、Ｃ階層についても同じ時間が必要である）。
【００１７】
そこで、部分受信フラグやキャリア変調方式、時間インターリーブ長等、復調や誤り訂正の処理に必要なＴＭＣＣ情報をメモリに記憶させておき、受信動作を開始させるたびに、メモリに記憶させたＴＭＣＣ情報を読み出し、読み出されたＴＭＣＣ情報に基づいて復調や誤り訂正の動作をさせるようにしたＯＦＤＭ受信装置が知られている。このようなＯＦＤＭ受信装置は、例えば下記特許文献１に開示されている。
【特許文献１】特開２００１−２９２１２１号公報
【発明の開示】
【発明が解決しようとする課題】
【００１８】
このように、ＴＭＣＣ情報の取得を開始してから部分受信フラグ又はキャリア変調方式の情報を取得完了するまでに要する時間は、周波数デインターリーブ処理の開始又は軟判定処理の開始の遅延につながる可能性がある。これは、受信装置が受信動作を開始してから映像、音声等を出力するまでに要する時間に大きな影響を与えることになる。
【００１９】
また、ＯＦＤＭ信号の階層の構成や変調方式等をはじめとする伝送制御情報（ＴＭＣＣ情報）の内容は、送信側の放送局で任意に設定されるものであり、放送時刻に応じてその内容が変更される可能性がある。すなわち、メモリに記憶させたＴＭＣＣ情報を読み出して用いる場合には、メモリに記憶させておいたＴＭＣＣ情報の内容と、実際に受信されたＯＦＤＭ信号の最新のＴＭＣＣ情報の内容とが異なる可能性がある。正しいＴＭＣＣ情報の内容に基づいて復調、誤り訂正の処理が行われない場合には、受信動作を開始してから伝送された映像、音声等を出力するまでに不要な遅延時間が発生してしまう。
【００２０】
本発明は、送信された信号に対する受信動作を開始してから、伝送された映像、音声等を出力するまでの時間を短縮することを目的とする。
【課題を解決するための手段】
【００２１】
本発明は、受信されたＯＦＤＭ信号等のキャリアの信号点に基づいて、このキャリアの変調方式を求め、求められた変調方式に応じて、伝送された情報を得るための処理を前記受信されたＯＦＤＭ信号等に対して行うように構成されたものである。
【００２２】
より具体的には、本発明は、複数のキャリアで構成されたＯＦＤＭ（Orthogonal Frequency Division Multiplexing：直交周波数分割多重）信号を受信するＯＦＤＭ受信装置であって、受信された時間領域のＯＦＤＭ信号を周波数領域のＯＦＤＭ信号に変換して出力する高速フーリエ変換部と、前記周波数領域のＯＦＤＭ信号に対して波形等化を行い、波形等化後のＯＦＤＭ信号を出力する等化部と、前記波形等化後のＯＦＤＭ信号を構成する複数のキャリアの信号点に基づいて、これらのキャリアの変調方式を推定し、得られた推定結果を出力する変調方式推定部とを備え、前記推定結果に応じて、伝送された情報を得るための処理を前記受信されたＯＦＤＭ信号に対して行うように構成されたものである。前記変調方式推定部は、前記波形等化後のＯＦＤＭ信号を構成する複数のキャリアの信号点のうち、Ｉ−Ｑ平面上における、推定する変調方式に基づく所定の領域に存在する信号点のＩ軸座標の平均値及びＱ軸座標の平均値を算出し、前記算出されたＩ軸座標の平均値及びＱ軸座標の平均値に基づいて、前記波形等化後のＯＦＤＭ信号を構成する複数のキャリアの変調方式を推定する。
【００２３】
これによると、受信されたＯＦＤＭ信号を構成するキャリアの信号点に基づいて変調方式を推定し、推定された変調方式に応じて、伝送された情報を得るための処理をするので、受信されたＯＦＤＭ信号についての伝送パラメータ（伝送制御情報）の受信完了を待つ必要がない。したがって、受信動作を開始してから映像、音声等を出力するまでの時間を大きく短縮することができる。
【００２４】
本発明に係る他のＯＦＤＭ受信装置は、それぞれが複数のキャリアから構成される、複数のセグメントから構成され、所定のセグメントを用いて部分受信用の情報の伝送が可能であるＯＦＤＭ信号を受信するＯＦＤＭ受信装置であって、受信された時間領域のＯＦＤＭ信号を周波数領域のＯＦＤＭ信号に変換して出力する高速フーリエ変換部と、前記周波数領域のＯＦＤＭ信号に対して波形等化を行い、波形等化後のＯＦＤＭ信号を出力する等化部と、前記波形等化後のＯＦＤＭ信号を構成する複数のキャリアの信号点に基づいて、これらのキャリアの変調方式を推定し、得られた推定結果を出力する変調方式推定部と、前記変調方式推定部で得られた推定結果に基づいて、前記受信されたＯＦＤＭ信号において前記部分受信用の情報の伝送が行われているか否かを判定する判定部と、前記判定部によって得られた判定結果に応じて、前記受信されたＯＦＤＭ信号に対して周波数インターリーブの解除を行うデインターリーブ部とを備える。
【００２５】
本発明に係る他の受信装置は、デジタル変調されたキャリアを受信し、波形等化する等化部と、前記等化部で波形等化されたキャリアの変調方式を推定する変調方式推定部と、前記変調方式推定部によって推定された変調方式に基づいて、前記等化部で波形等化されたキャリアに対して軟判定を行い、得られた結果を出力するデマップ部とを備える。前記変調方式推定部は、前記等化部で波形等化されたキャリアの信号点のうち、Ｉ−Ｑ平面上における、推定する変調方式に基づく所定の領域に存在する信号点のＩ軸座標の平均値及びＱ軸座標の平均値を算出し、前記算出されたＩ軸座標の平均値及びＱ軸座標の平均値に基づいて、前記等化部で波形等化されたキャリアの変調方式を推定する。
【００２６】
本発明に係るＯＦＤＭ受信方法は、複数のキャリアで構成されたＯＦＤＭ信号を受信するＯＦＤＭ受信方法であって、受信された時間領域のＯＦＤＭ信号を周波数領域のＯＦＤＭ信号に変換する高速フーリエ変換ステップと、前記周波数領域のＯＦＤＭ信号に対して波形等化を行い、波形等化後のＯＦＤＭ信号を出力する等化ステップと、前記波形等化後のＯＦＤＭ信号を構成する複数のキャリアの信号点に基づいて、これらのキャリアの変調方式を推定し、推定結果を得る変調方式推定ステップと、前記推定結果に応じて、伝送された情報を得るための処理を前記受信されたＯＦＤＭ信号に対して行うステップとを備える。前記変調方式推定ステップは、前記波形等化後のＯＦＤＭ信号を構成する複数のキャリアの信号点のうち、Ｉ−Ｑ平面上における、推定する変調方式に基づく所定の領域に存在する信号点のＩ軸座標の平均値及びＱ軸座標の平均値を算出し、前記算出されたＩ軸座標の平均値及びＱ軸座標の平均値に基づいて、前記波形等化後のＯＦＤＭ信号を構成する複数のキャリアの変調方式を推定する。
【００２７】
本発明に係る他のＯＦＤＭ受信方法は、それぞれが複数のキャリアから構成される、複数のセグメントから構成され、所定のセグメントを用いて部分受信用の情報の伝送が可能であるＯＦＤＭ信号を受信するＯＦＤＭ受信方法であって、受信された時間領域のＯＦＤＭ信号を周波数領域のＯＦＤＭ信号に変換する高速フーリエ変換ステップと、前記周波数領域のＯＦＤＭ信号に対して波形等化を行い、波形等化後のＯＦＤＭ信号を出力する等化ステップと、前記波形等化後のＯＦＤＭ信号を構成する複数のキャリアの信号点に基づいて、これらのキャリアの変調方式を推定し、推定結果を得る変調方式推定ステップと、前記変調方式推定ステップで得られた推定結果に基づいて、前記受信されたＯＦＤＭ信号において前記部分受信用の情報の伝送が行われているか否かを判定する判定ステップと、前記判定ステップによって得られた判定結果に応じて、前記受信されたＯＦＤＭ信号に対して周波数インターリーブの解除を行うデインターリーブステップとを備える。
【発明の効果】
【００２８】
本発明によると、受信開始後の早い段階で、伝送された情報を得るための処理を行うことができ、受信動作を開始してから映像、音声等を出力するまでの時間を大きく短縮することができる。したがって、多くの局を順に選局する場合等において、待たされることなく、スムーズに映像等を得ることができる。
【発明を実施するための最良の形態】
【００２９】
以下、本発明の実施の形態について、図面を参照しながら説明する。
【００３０】
図１は、本発明の実施形態に係るＯＦＤＭ受信装置の構成例を示すブロック図である。図１のＯＦＤＭ受信装置は、チューナ２と、ＯＦＤＭ復調誤り訂正部４と、情報源復号部６と、出力部８とを備えている。
【００３１】
アンテナ１は、ＲＦ（Radio Frequency：無線周波数）帯域のＯＦＤＭ信号を受信して、チューナ２に供給する。チューナ２は、アンテナ１より供給されたＲＦ帯域のＯＦＤＭ信号を、ＩＦ（Intermadiate Frequency：中間周波数）帯域のＯＦＤＭ信号に変換し、ＯＦＤＭ復調誤り訂正部４に出力する。
【００３２】
ＯＦＤＭ復調誤り訂正部４は、チューナ部２より供給されたＩＦ帯域のＯＦＤＭ信号に対する復調及び誤り訂正を行い、伝送されたＴＳ（Transport Stream）を復元し、復元されたＴＳを情報源復号部６に出力する。ＯＦＤＭ復調誤り訂正部４は、キャリアの変調方式を推定し、推定された変調方式に応じて、伝送された情報を得るための処理（周波数デインターリーブ又はデマップ等）を行う。
【００３３】
情報源復号部６は、ＯＦＤＭ復調誤り訂正部４より供給されたＴＳに対する情報の分離及び伸張を行い、伝送された映像や音声、その他のデータを生成し、生成された映像及び音声のデータを出力部８に出力し、必要に応じてその他のデータをＯＦＤＭ受信装置の外部に出力する。出力部８は、ＣＲＴ（Cathode Ray Tube）及びスピーカを有しており、情報源復号部６より供給された映像及び音声のデータに基づいて、映像をＣＲＴに表示し、音声をスピーカに出力する。
【００３４】
以下では、図１のＯＦＤＭ受信装置に関して、いくつかの実施形態を説明する。
【００３５】
（第１の実施形態）
図２は、図１のＯＦＤＭ復調誤り訂正部の第１の実施形態に係る構成例を示すブロック図である。図２のＯＦＤＭ復調誤り訂正部４は、直交検波部１４と、ＦＦＴ部（高速フーリエ変換部）１６と、等化部１８と、部分受信判定部２０と、デインターリーブ部３０と、デマップ部４２と、誤り訂正部４４とを備えている。デインターリーブ部３０は、周波数デインターリーブ部３２と、時間デインターリーブ部３４とを有している。
【００３６】
直交検波部１４は、チューナ２から供給されたＩＦ帯域のＯＦＤＭ信号をベースバンド（Base Band：基底帯域）のＯＦＤＭ信号に変換し、ＦＦＴ部１６に出力する。ＦＦＴ部１６は、時間領域の信号であるベースバンドのＯＦＤＭ信号を、フーリエ変換を行うことによって周波数領域のＯＦＤＭ信号に変換し、等化部１８に出力する。変換された周波数領域のＯＦＤＭ信号は、各キャリアの位相と振幅を示す。各キャリアは、コンスタレーションと呼ばれるＩ軸方向の成分とＱ軸方向の成分を独立に持つベクトルの形で表される。
【００３７】
等化部１８は、周波数領域のＯＦＤＭ信号に対して伝送路で生じた歪みの補償（波形等化）を行って、波形等化後のＯＦＤＭ信号を部分受信判定部２０及び周波数デインターリーブ部３２に出力する。部分受信判定部２０は、等化部１８より供給された波形等化後のＯＦＤＭ信号に基づき、部分受信用の情報の伝送が行われているか否か、言い換えると、部分受信部が存在するか否かを判定し、判定結果を周波数デインターリーブ部３２に出力する。
【００３８】
デインターリーブ部３０は、受信したＯＦＤＭ信号に対してインターリーブの解除（デインターリーブ）を行う。周波数デインターリーブ部３２は、部分受信判定部２０より供給された判定結果に基づき、部分受信部がある場合とない場合とのそれぞれに適した方法で、等化部１８の出力に対して周波数インターリーブの解除（周波数デインターリーブ）を行い、周波数デインターリーブされたＯＦＤＭ信号を時間デインターリーブ部３４に出力する。
【００３９】
時間デインターリーブ部３４は、周波数デインターリーブ部３２より供給された、周波数デインターリーブされたＯＦＤＭ信号に対して時間インターリーブの解除（時間デインターリーブ）を行い、時間デインターリーブされたＯＦＤＭ信号をデマップ部４２に出力する。
【００４０】
デマップ部４２は、時間デインターリーブ部３４より供給された、時間デインターリーブされたＯＦＤＭ信号に対して各キャリアの変調方式に応じた軟判定（デマップ）を行って軟判定メトリックデータを算出し、得られた軟判定メトリックデータを誤り訂正部４４に出力する。誤り訂正部４４は、デマップ部４２より供給された軟判定メトリックデータに対してビタビ復号及びリードソロモン（Reed-Solomon）復号などによる誤り訂正を行い、送信されたＴＳを復元する。誤り訂正部４４により復元されたＴＳは、ＯＦＤＭ復調誤り訂正部４の出力となる。
【００４１】
図３は、ＩＳＤＢ−Ｔに規定された送信信号のスペクトル図である。ＩＳＤＢ−ＴにおけるＯＦＤＭ信号は、図３のように配置された１３個のセグメントを有し、各セグメントは、複数のキャリアを含んでいる。以下では、セグメント番号０のセグメントを「中央セグメント」と称し、セグメント番号１〜１２のセグメントを「非中央セグメント」と称する。部分受信用のセグメントの伝送が行われる場合には、中央セグメントが１つの階層を構成し、非中央セグメントが他の階層を構成する。部分受信用のセグメントの伝送が行われない場合には、例えば、１３個の全てのセグメントが１つの階層を構成する。
【００４２】
ＩＳＤＢ−Ｔでは、１３個のセグメントを複数の階層に分割して伝送する階層伝送が１つの大きな特徴となっている。階層ごとに誤り耐性の異なる性質を持った変調方式・誤り訂正能力、あるいは伝送する情報量等を選ぶことにより、固定受信／移動受信／携帯受信装置による受信のような異なる受信形態でも同時に享受できる放送サービスが実現可能である。例えば、伝送される全てのセグメントを同一の階層とし、変調方式としては高い伝送容量を確保できる６４ＱＡＭを用いて、ハイビジョン番組などの受信が可能な固定受信装置向けに伝送するようなサービスが検討されている。
【００４３】
また、中央セグメントを部分受信部とし、このセグメントを携帯受信装置向けの階層として伝送し、残りの１２セグメントを固定受信装置向けの階層として伝送するようなサービスの形態も検討されている。この場合、部分受信部の変調方式としては、伝送路における外乱に対する耐性が比較的高いＱＰＳＫ（又は１６ＱＡＭ）とし、残りの１２セグメントには高い伝送容量を確保できる６４ＱＡＭとすることが検討されている。
【００４４】
したがって、中央セグメントの変調方式について着目した場合、中央セグメントに属するキャリアの変調方式がＱＰＳＫ又は１６ＱＡＭであれば「部分受信部あり」と推測し、中央セグメントに属するキャリアの変調方式が６４ＱＡＭであれば「部分受信部なし」と推測することが非常高い確率で有効であると考えられる。
【００４５】
そこで、図２の部分受信判定部２０は、等化部１８より供給された波形等化後のＯＦＤＭ信号に基づいて、これらのキャリアの変調方式を推定し、得られた推定結果に基づいて、中央セグメントに属する複数のキャリアの変調方式が、ＱＰＳＫ又は１６ＱＡＭであれば「部分受信部あり」と判定し、その他の変調方式、例えば、６４ＱＡＭであれば「部分受信部なし」と判定する。そして、周波数デインターリーブ部３２は、部分受信判定部２０による判定結果に応じて、周波数デインターリーブ処理を行う。
【００４６】
すなわち、部分受信部が存在すると判定された場合には、周波数デインターリーブ部３２は、入力されたＯＦＤＭ信号が「部分受信ありの２階層伝送」であると仮定し、中央セグメントと非中央セグメントとにおいて独立して周波数デインターリーブを行う。また、部分受信部が存在しないと判定された場合には、周波数デインターリーブ部３２は、入力されたＯＦＤＭ信号が「単一階層伝送」であると仮定し、中央セグメントと非中央セグメントとを一体として周波数デインターリーブを行う。
【００４７】
図２のように、部分受信判定部２０は、セグメント抽出部２２と、変調方式推定部２４と、判定部２６とを備えている。セグメント抽出部２２は、等化部１８より供給される波形等化後のＯＦＤＭ信号から、中央セグメントに属するキャリアを抽出して変調方式推定部２４に出力する。変調方式推定部２４は、セグメント抽出部２２より供給される中央セグメントに属するキャリアについて、変調方式を推定し、推定結果を判定部２６に出力する。
【００４８】
判定部２６は、変調方式推定部２４より供給される推定結果に基づき、中央セグメントに属するキャリアの変調方式によって、部分受信用の階層の有無を判定する。すなわち、中央セグメントに属するキャリアの変調方式の推定結果がＱＰＳＫ又は１６ＱＡＭである場合には、「部分受信部あり」と判定し、推定結果が６４ＱＡＭである場合には、「部分受信部なし」と判定する。判定部２６は、判定結果を周波数デインターリーブ部３２に出力する。
【００４９】
次に、変調方式推定部２４について詳細に説明する。ここでは例として、受信されたＯＦＤＭ信号の変調方式がＱＰＳＫ、１６ＱＡＭ、又は６４ＱＡＭのいずれかで変調されているものとして説明する。
【００５０】
図４は、図２の変調方式推定部２４の構成例を示すブロック図である。変調方式推定部２４は、絶対値算出部５２と、ＱＰＳＫ領域判定部６１と、平均ベクトル算出部６２，６７と、電力算出部６３，６８と、閾値比較部６４，６９と、１６ＱＡＭ領域判定部６６と、変調方式判定部５８とを備えている。
【００５１】
絶対値算出部５２は、変調方式推定部２４に供給された波形等化後のＯＦＤＭ信号について、そのＩ軸及びＱ軸の各成分の絶対値｜Ｉ｜、｜Ｑ｜（ここで｜＊｜は＊の絶対値を示すものとする）を算出し、算出された絶対値｜Ｉ｜、｜Ｑ｜をＱＰＳＫ領域判定部６１、平均ベクトル算出部６２，６７、及び１６ＱＡＭ領域判定部６６に出力する。
【００５２】
ＱＰＳＫ領域判定部６１は、絶対値算出部５２より供給された絶対値｜Ｉ｜、｜Ｑ｜が、所定の範囲内にあるか否かをキャリアごとに判定し、判定結果を平均ベクトル算出部６２に出力する。平均ベクトル算出部６２は、ＱＰＳＫ領域判定部６１でその絶対値｜Ｉ｜、｜Ｑ｜が所定の範囲内にあると判定されたキャリアについて、平均値ａｖｅ（｜Ｉ｜）、ａｖｅ（｜Ｑ｜）（ここで、ａｖｅ（＊）は、＊の平均値を示すものとする）を算出し、算出されたａｖｅ（｜Ｉ｜）、ａｖｅ（｜Ｑ｜）をそれぞれＩ軸成分、Ｑ軸成分に持つベクトルを、平均ベクトルとして電力算出部６３に出力する。
【００５３】
電力算出部６３は、平均ベクトル算出部６２より供給された平均ベクトルのＩ軸成分及びＱ軸成分に対して２乗和（ａｖｅ（｜Ｉ｜））２＋（ａｖｅ（｜Ｑ｜））２を算出し、算出結果を電力値として閾値比較部６４に出力する。すなわち、電力算出部６３は、平均ベクトルの振幅の２乗を求める。閾値比較部６４は、電力算出部６３より供給される電力値と所定の閾値との比較を行い、比較結果を変調方式判定部５８に出力する。
【００５４】
１６ＱＡＭ領域判定部６６は、絶対値算出部５２より供給された絶対値｜Ｉ｜、｜Ｑ｜が、所定の範囲内にあるか否かをキャリアごとに判定し、判定結果を平均ベクトル算出部６７に出力する。平均ベクトル算出部６７は、１６ＱＡＭ領域判定部６６でその絶対値｜Ｉ｜、｜Ｑ｜が所定の範囲内にあると判定されたキャリアについて、平均値ａｖｅ（｜Ｉ｜）、ａｖｅ（｜Ｑ｜）を算出し、算出されたａｖｅ（｜Ｉ｜）、ａｖｅ（｜Ｑ｜）をそれぞれＩ軸成分、Ｑ軸成分に持つベクトルを、平均ベクトルとして電力算出部６８に出力する。
【００５５】
電力算出部６８は、平均ベクトル算出部６７より供給された平均ベクトルのＩ軸成分及びＱ軸成分に対して２乗和（ａｖｅ（｜Ｉ｜））２＋（ａｖｅ（｜Ｑ｜））２を算出し、算出結果を電力値として閾値比較部６９に出力する。閾値比較部６９は、電力算出部６８より供給される電力値と所定の閾値との比較を行い、比較結果を変調方式判定部５８に出力する。
【００５６】
変調方式判定部５８は、閾値比較部６４及び６９よりそれぞれ供給される比較結果に基づいて、変調方式推定部２４に入力された信号がＱＰＳＫ、１６ＱＡＭ、６４ＱＡＭのうちのいずれの変調方式であるかを判定し、判定結果を出力する。変調方式判定部５８の判定結果は変調方式推定部２４の推定結果となる。
【００５７】
以下、図４に示した変調方式推定部２４の動作について詳細に説明する。図５は、キャリアの変調方式がＱＰＳＫである場合の送信時における信号点配置図（コンスタレーション）である。図６は、キャリアの変調方式が１６ＱＡＭである場合の送信時における信号点配置図である。図７は、キャリアの変調方式が６４ＱＡＭである場合の送信時における信号点配置図である。図５〜図７は、ＩＳＤＢ−Ｔで用いられる変調方式について、送信時における信号点配置をＩ−Ｑ座標平面上で示している。なお、図５〜図７の信号点配置は、キャリアの平均電力が１となるように正規化されているものとする。
【００５８】
ガウス雑音（以下では、単に「雑音」と称する）等の外乱の影響がない場合には、受信時における信号点はこれらの送信信号点、すなわち理想的な信号点とほぼ一致する。しかし、外乱の影響などを受ける場合には、その影響度合いに応じて波形等化後の信号点には理想的な信号点からのずれが生じ、各理想的な信号点を中心としてその周囲に分布する。
【００５９】
さて、変調方式推定部２４は、波形等化後のＯＦＤＭ信号からその変調方式を推定しようとするものであり、１つのシンボル内で推定のために用いるキャリアの数が多いほど推定精度が向上し、また、推定に要する時間も短くて済む。このため、各シンボル内で推定のために用いるキャリアの数はできるだけ多くなるようにする。そこで、限られた回路規模、演算規模でより多くのキャリアを扱うために、コンスタレーションの対称性を利用する。
【００６０】
すなわち、絶対値算出部５２は、各キャリアの信号点のＩ軸，Ｑ軸各成分の絶対値｜Ｉ｜、｜Ｑ｜を求めることにより、入力されたキャリアの信号点がＩ−Ｑ平面上のいずれの位置にあっても、信号点をＩ≧０かつＱ≧０の領域内の点に変換する。絶対値算出部５２は、求めた絶対値をＱＰＳＫ領域判定部６１、平均ベクトル算出部６２，６７、及び１６ＱＡＭ領域判定部６６に出力する。
【００６１】
図４のＱＰＳＫ領域判定部６１、平均ベクトル算出部６２、電力算出部６３、及び閾値比較部６４は、キャリアの変調方式がＱＰＳＫであるか否かの判定を行う。ＱＰＳＫ領域判定部６１は、変調方式推定部２４に入力されたキャリアの信号点の各成分（Ｉ，Ｑ）が、｜Ｉ｜≦１／√２かつ｜Ｑ｜≦１／√２の条件を満たすか否かを判定する。すなわち、絶対値算出部５２から入力されたキャリアの信号点が、図５〜図７における領域Ｓ１（０≦Ｉ≦１／√２かつ０≦Ｑ≦１／√２の領域）にあるか否かを判定し、判定結果を平均ベクトル算出部６２に出力する。
【００６２】
平均ベクトル算出部６２は、ＱＰＳＫ領域判定部６１にて｜Ｉ｜≦１／√２かつ｜Ｑ｜≦１／√２の条件を満たすと判定されたキャリアについて、絶対値算出部５２から供給される絶対値｜Ｉ｜、｜Ｑ｜に対して平均値ａｖｅ（｜Ｉ｜）、ａｖｅ（｜Ｑ｜）を算出し（このとき、複数のシンボルにわたって平均を求めるようにしてもよい）、算出されたａｖｅ（｜Ｉ｜）、ａｖｅ（｜Ｑ｜）を電力算出部６３に出力する。電力算出部６３は、平均ベクトル算出部６２より供給されるａｖｅ（｜Ｉ｜）、ａｖｅ（｜Ｑ｜）に対して２乗和（ａｖｅ（｜Ｉ｜））２＋（ａｖｅ（｜Ｑ｜））２を算出し、閾値比較部６４に出力する。
【００６３】
ここまでの処理は、変調方式推定部２４に供給された波形等化後のＯＦＤＭ信号について、その信号点を表すベクトル（原点Ｏ（０，０）を始点とする位置ベクトル）のうち、終点が｜Ｉ｜≦１／√２かつ｜Ｑ｜≦１／√２の領域に存在する条件を満たすものを判別し、これらの平均ベクトル（原点Ｏ（０，０）を始点とし、（ａｖｅ（｜Ｉ｜）、ａｖｅ（｜Ｑ｜））を終点とする位置ベクトル）の電力を算出することに相当する。
【００６４】
ここで、変調方式推定部２４に供給されるキャリアの変調方式がＱＰＳＫ，１６ＱＡＭ，６４ＱＡＭのそれぞれの場合における、平均ベクトル算出部６２の算出結果について説明する。
【００６５】
図８（ａ）は、キャリアがＱＰＳＫ方式で変調されている場合の理想的な信号点を、領域Ｓ１において示す図である。図８（ｂ）は、キャリアがＱＰＳＫ方式で変調されている場合に、実際に受信されるキャリアの信号点の存在範囲を示す図である。図８（ｃ）は、実際に受信されるキャリアの平均ベクトルを示す図である。
【００６６】
まず、キャリアがＱＰＳＫ方式で変調されている場合、外乱の影響がほとんど無視できるときに絶対値算出部５２から出力される信号点の座標は、（Ｉ，Ｑ）＝（１／√２，１／√２）となる。原点Ｏと、この信号点とを結んだベクトルは、図８（ａ）のベクトルＴＱのようになる。
【００６７】
一方、雑音等の外乱の影響を受けた場合、絶対値算出部２４から出力される信号点は、理想的な信号点（１／√２，１／√２）からのずれが生じる。原点Ｏと外乱の影響を受けた場合の信号点とを結んだベクトルは、例えば図８（ｂ）のベクトルＲＱのようになる。このような外乱の影響を受けた場合の信号点は、理想的な信号点（１／√２，１／√２）を中心とする扇形の領域ＳＱ内に分布する。平均ベクトル算出部６２は、原点Ｏと領域Ｓ１に含まれる各信号点とを結んだ各ベクトルの平均のベクトルを求める。その結果は、例えば図８（ｃ）のベクトルＡＱのようになる。
【００６８】
図９（ａ）は、キャリアが１６ＱＡＭ方式で変調されている場合の理想的な信号点を、領域Ｓ１において示す図である。図９（ｂ）は、キャリアが１６ＱＡＭ方式で変調されている場合に、実際に受信されるキャリアの信号点の存在範囲を示す図である。図９（ｃ）は、実際に受信されるキャリアの平均ベクトルを示す図である。
【００６９】
キャリアが１６ＱＡＭ方式で変調されている場合、外乱の影響がほとんど無視できるときに絶対値算出部５２から出力される信号点の座標は、（Ｉ，Ｑ）＝（１／√１０，１／√１０）となる。原点Ｏと、この信号点とを結んだベクトルは、図９（ａ）のベクトルＴ１６のようになる。
【００７０】
一方、雑音等の外乱の影響を受けた場合、絶対値算出部５２から出力される信号点は、理想的な信号点（１／√１０，１／√１０）からのずれが生じる。原点Ｏと外乱の影響を受けた場合の信号点とを結んだベクトルは、例えば図９（ｂ）のベクトルＲ１６のようになる。このような外乱の影響を受けた場合の信号点は、理想的な信号点（１／√１０，１／√１０）を中心とする領域Ｓ１６内に分布する。平均ベクトル算出部６２は、原点Ｏと領域Ｓ１に含まれる各信号点とを結んだ各ベクトルの平均ベクトルを求める。その結果は、例えば図９（ｃ）のベクトルＡ１６のようになる。ベクトルＡ１６は、原点Ｏと領域Ｓ１の中心とを結ぶベクトルに近いものになる。なお、この結果は外乱の程度、例えば外乱が雑音の場合のＣ／Ｎの大小等に、大きな影響を受けることがない。
【００７１】
図１０（ａ）は、キャリアが６４ＱＡＭ方式で変調されている場合の理想的な信号点を、領域Ｓ１において示す図である。図１０（ｂ）は、キャリアが６４ＱＡＭ方式で変調されている場合に、実際に受信されるキャリアの信号点の存在範囲を示す図である。図１０（ｃ）は、実際に受信されるキャリアの平均ベクトルを示す図である。
【００７２】
キャリアが６４ＱＡＭ方式で変調されている場合、外乱の影響がほとんど無視できるときに絶対値算出部５２から出力される信号点は、（Ｉ，Ｑ）＝（１／√４２，１／√４２），（１／√４２，３／√４２），（３／√４２，１／√４２），（３／√４２，３／√４２）の４個のいずれかとなる。原点Ｏと、これらの信号点とを結んだベクトルは、図１０（ａ）のベクトルＴ６４のようになる。
【００７３】
一方、雑音などの外乱の影響を受けた場合、図８（ｂ）及び図９（ｂ）と同様に、絶対値算出部５２から出力される信号点は、４個の理想的な信号点からのずれが生じる。原点Ｏと外乱の影響を受けた場合の信号点とを結んだベクトルは、例えば図１０（ｂ）のベクトルＲ６４のようになる。このような外乱の影響を受けた場合の信号点は、４個の理想的な信号点のそれぞれを中心とする領域Ｓ６４内に分布する。平均ベクトル算出部６２は、原点Ｏと領域Ｓ１に含まれる各信号点とを結んだ各ベクトルの平均ベクトルを求める。その結果は、例えば図１０（ｃ）のベクトルＡ６４のようになる。ベクトルＡ６４は、図９（ｂ）のベクトルＡ１６と同様に、原点Ｏと領域Ｓ１の中心とを結ぶベクトルに近いものになる。なお、この結果は外乱の程度、例えば外乱が雑音の場合のＣ／Ｎの大小等に、大きな影響を受けることがない。
【００７４】
図１１は、図４の平均ベクトル算出部６２で求められた平均ベクトルＡＱ，Ａ１６，Ａ６４を示す図である。キャリアがＱＰＳＫ方式で変調されている場合の平均ベクトルＡＱと、キャリアが１６ＱＡＭ又は６４ＱＡＭ方式で変調されている場合の平均ベクトルＡ１６又はＡ６４との間に、Ｉ−Ｑ平面上における明確な差があることを示している。この差は、各ベクトルＡＱ、Ａ１６，Ａ６４が、始点を原点Ｏする位置ベクトル（位置ベクトルの終点は、平均ベクトル算出部６２で得られる平均値ａｖｅ（｜Ｉ｜）、ａｖｅ（｜Ｑ｜）をそれぞれＩ軸座標、Ｑ軸座標とする点）であるとしたときに、原点から各終点座標までの距離、距離の２乗値（電力値）、又は終点座標そのもののいずれかからも容易に判別できる。
【００７５】
そこで、閾値比較部６４は、電力算出部６３が出力した電力値と所定の閾値との比較を行い、電力値が閾値を上回っている場合には入力されたキャリアの変調方式がＱＰＳＫであると判定し、そうでない場合にはＱＰＳＫではないと判定する。
【００７６】
ここで用いられる閾値は、例えば、理想的な条件でＱＰＳＫ信号、１６ＱＡＭ信号、６４ＱＡＭ信号が受信された場合に平均ベクトルＡＱ、Ａ１６、Ａ６４が示すそれぞれの電力値ＰＡＱ、ＰＡ１６、ＰＡ６４を用いて、ＰＡＱとＰＡ１６との平均値（ＰＡＱ＋ＰＡ１６）／２としてもよいし、あるいは、ＰＡＱとＰＡ６４との平均値（ＰＡＱ＋ＰＡ６４）／２としてもよい。
【００７７】
あるいは更に、シミュレーションや実験等によって、外乱があった場合でも、ベクトルＡ１６又はＡ６４とベクトルＡＱとを判別できるような適切な値を、閾値として選んでもよい。一例として、ＡＷＧＮ（Additive White Gaussian Noise）の環境では、閾値として０．２６を選べば効果的な判別ができることがわかっている。閾値比較部６４は、この判定結果を変調方式判定部５８に出力する。
【００７８】
また、図４の１６ＱＡＭ領域判定部６６、平均ベクトル算出部６７、電力算出部６８、及び閾値比較部６９は、キャリアの変調方式が１６ＱＡＭ及び６４ＱＡＭのうちのいずれであるかを判定する。１６ＱＡＭ領域判定部６６は、変調方式推定部２４に入力されたキャリアの信号点の各成分（Ｉ，Ｑ）が、｜Ｉ｜≦１／√１０かつ｜Ｑ｜≦１／√１０の条件を満たすか否かを判定する。すなわち、絶対値算出部５２から入力されたキャリアの信号点が、図６，図７における領域Ｓ２（０≦Ｉ≦１／√１０かつ０≦Ｑ≦１／√１０の領域）にあるか否かを判定し、判定結果を平均ベクトル算出部６７に出力する。
【００７９】
平均ベクトル算出部６７は、１６ＱＡＭ領域判定部６６にて｜Ｉ｜≦１／√１０かつ｜Ｑ｜≦１／√１０の条件を満たすと判定されたキャリアについて、絶対値算出部５２から供給される｜Ｉ｜、｜Ｑ｜に対して平均値ａｖｅ（｜Ｉ｜）、ａｖｅ（｜Ｑ｜）を算出し（このとき、複数のシンボルにわたって平均を求めるようにしてもよい）、算出されたａｖｅ（｜Ｉ｜）、ａｖｅ（｜Ｑ｜）を電力算出部６８に出力する。電力算出部６８は、平均ベクトル算出部６７より供給されるａｖｅ（｜Ｉ｜）、ａｖｅ（｜Ｑ｜）に対して２乗和（ａｖｅ（｜Ｉ｜））２＋（ａｖｅ（｜Ｑ｜））２を算出し、閾値比較部６９に出力する。
【００８０】
ここまでの処理は、変調方式推定部２４に供給された波形等化後のＯＦＤＭ信号について、その信号点を表すベクトル（原点Ｏ（０，０）を始点とする位置ベクトル）のうち、終点が｜Ｉ｜≦１／√１０かつ｜Ｑ｜≦１／√１０の領域に存在する条件を満たすものを判別し、これらの平均ベクトル（原点Ｏ（０，０）を始点とし、（ａｖｅ（｜Ｉ｜）、ａｖｅ（｜Ｑ｜））を終点とする位置ベクトル）の電力を算出することに相当する。
【００８１】
ここで、変調方式推定部２４に供給されるキャリアが１６ＱＡＭ，６４ＱＡＭのそれぞれの場合における、平均ベクトル算出部６７の算出結果について説明する。
【００８２】
図１２（ａ）は、キャリアが１６ＱＡＭ方式で変調されている場合の理想的な信号点を、領域Ｓ２において示す図である。図１２（ｂ）は、キャリアが１６ＱＡＭ方式で変調されている場合に、実際に受信されるキャリアの信号点の存在範囲を示す図である。図１２（ｃ）は、実際に受信されるキャリアの平均ベクトルを示す図である。
【００８３】
まず、キャリアが１６ＱＡＭ方式で変調されている場合、外乱の影響がほとんど無視できるときに絶対値算出部５２から出力される領域Ｓ２内の信号点の座標は、（Ｉ，Ｑ）＝（１／√１０，１／√１０）となる。原点Ｏと、この信号点とを結んだベクトルは、図１２（ａ）のベクトルＴ１６’のようになる。
【００８４】
一方、雑音等の外乱の影響を受けた場合、絶対値算出部５２から出力される信号点は、理想的な信号点（１／√１０，１／√１０）からのずれが生じる。原点Ｏと外乱の影響を受けた場合の信号点とを結んだベクトルは、例えば図１２（ｂ）のベクトルＲ１６’のようになる。このような外乱の影響を受けた場合の信号点は、理想的な信号点（１／√１０，１／√１０）を中心とする扇形の領域Ｓ１６’内に分布する。平均ベクトル算出部６７は、原点Ｏと領域Ｓ２に含まれる各信号点とを結んだ各ベクトルの平均のベクトルを求める。その結果は、例えば図１２（ｃ）のベクトルＡ１６’のようになる。
【００８５】
図１３（ａ）は、キャリアが６４ＱＡＭ方式で変調されている場合の理想的な信号点を、領域Ｓ２において示す図である。図１３（ｂ）は、キャリアが６４ＱＡＭ方式で変調されている場合に、実際に受信されるキャリアの信号点の存在範囲を示す図である。図１３（ｃ）は、実際に受信されるキャリアの平均ベクトルを示す図である。
【００８６】
キャリアが６４ＱＡＭ方式で変調されている場合、外乱の影響がほとんど無視できるときに絶対値算出部５２から出力される領域Ｓ２内の信号点の座標は、（Ｉ，Ｑ）＝（１／√４２，１／√４２）となる。原点Ｏと、この信号点とを結んだベクトルは、図１３（ａ）のベクトルＴ６４’のようになる。
【００８７】
一方、雑音等の外乱の影響を受けた場合、絶対値算出部５２から出力される信号点は、理想的な信号点（１／√４２，１／√４２）からのずれが生じる。原点Ｏと外乱の影響を受けた場合の信号点とを結んだベクトルは、例えば図１３（ｂ）のベクトルＲ６４’のようになる。このような外乱の影響を受けた場合の信号点は、理想的な信号点（１／√４２，１／√４２）を中心とする領域Ｓ６４’内に分布する。平均ベクトル算出部６７は、原点Ｏと領域Ｓ２に含まれる各信号点とを結んだ各ベクトルの平均ベクトルを求める。その結果は、例えば図１３（ｃ）のベクトルＡ６４’のようになる。ベクトルＡ６４’は、原点Ｏと領域Ｓ２の中心とを結ぶベクトルに近いものになる。なお、この結果は外乱の程度、例えば外乱が雑音の場合のＣ／Ｎの大小等に、大きな影響を受けることがない。
【００８８】
図１４は、図４の平均ベクトル算出部６７で求められた平均ベクトルＡ１６’，Ａ６４’を示す図である。キャリアが１６ＱＡＭ方式で変調されている場合の平均ベクトルＡ１６’と、キャリアが６４ＱＡＭ方式で変調されている場合の平均ベクトルＡ６４’との間に、Ｉ−Ｑ平面上における明確な差があることを示している。この差は、各ベクトルＡ１６’，Ａ６４’が、始点を原点Ｏとする位置ベクトル（位置ベクトルの終点は、平均ベクトル算出部６７で得られる平均値ａｖｅ（｜Ｉ｜）、ａｖｅ（｜Ｑ｜）をそれぞれＩ軸座標、Ｑ軸座標とする点）であるとしたときに、原点から各終点座標までの距離、距離の２乗値（電力値）、又は終点座標そのもののいずれかからも容易に判別できる。
【００８９】
そこで、閾値比較部６９は、電力算出部６８が出力した電力値と所定の閾値との比較を行い、電力値が閾値を上回っている場合には入力されたキャリアの変調方式が１６ＱＡＭであると判定し、そうでない場合には６４ＱＡＭであると判定する。
【００９０】
ここで用いられる閾値は、例えば、理想的な条件で１６ＱＡＭ信号、６４ＱＡＭ信号が受信された場合に平均ベクトルＡ１６’、Ａ６４’が示すそれぞれの電力値ＰＡ１６’、ＰＡ６４’を用いて、ＰＡ１６’とＰＡ６４’との平均値（ＰＡ１６’＋ＰＡ６４’）／２としてもよい。
【００９１】
あるいは更に、シミュレーションや実験等によって、外乱があった場合でも、ベクトルＡ１６’とベクトルＡ６４’とを判別できるような適切な値を、閾値として選んでもよい。一例として、ＡＷＧＮの環境では、閾値として０．０６を選べば効果的な判別ができることがわかっている。閾値比較部６９は、この判定結果を変調方式判定部５８に出力する。
【００９２】
図１５は、図４の変調方式判定部５８における処理の流れを示すフローチャートである。変調方式判定部５８は、図１５に示すフローに従って変調方式推定部２４に入力されたキャリアの変調方式を判定する。
【００９３】
ステップＳＴ１２において、変調方式判定部５８は、まず、閾値比較部６４の比較結果に基づいて、キャリアの変調方式がＱＰＳＫであるか否かの判定を行う。閾値比較部６４の比較結果がＱＰＳＫであることを示している場合には、ステップＳＴ１４に進む。ステップＳＴ１４では、変調方式判定部５８は、変調方式推定部２４に入力されたキャリアの変調方式がＱＰＳＫであると判定する。
【００９４】
一方、閾値比較部６４の比較結果がＱＰＳＫではないことを示している場合には、ステップＳＴ１６に進む。ステップＳＴ１６では、変調方式判定部５８は、閾値比較部６９の比較結果に基づいて、キャリアの変調方式が１６ＱＡＭであるか否かの判定を行う。閾値比較部６９の比較結果が１６ＱＡＭであることを示している場合には、ステップＳＴ１８に進む。ステップＳＴ１８では、変調方式判定部５８は、変調方式推定部２４に入力されたキャリアの変調方式が１６ＱＡＭであると判定する。
【００９５】
閾値比較部６９の比較結果が１６ＱＡＭではないことを示している場合には、ステップＳＴ２０に進む。ステップＳＴ２０では、変調方式判定部５８は、変調方式推定部２４に入力されたキャリアの変調方式が６４ＱＡＭであると判定する。この変調方式判定部５８の判定結果が、変調方式推定部２４の推定結果として出力される。
【００９６】
以上のような構成により、変調方式推定部２４は、例えば約２０シンボル分の波形等化結果が入力されるまでに、入力された（中央セグメントの）キャリアの変調方式を推定することができる。
【００９７】
なお、本実施形態においては、変調方式推定部２４が、キャリアの変調方式がＱＰＳＫ、１６ＱＡＭ、６４ＱＡＭのうちのいずれであるかを推定する場合を例にとって説明したが、キャリアの変調方式がこれら以外の多値ＱＡＭ等の他の変調方式であるか否かについても、同様の処理により推定が可能であることはいうまでもない。
【００９８】
また、本実施形態においては、変調方式推定部２４において、平均ベクトル算出部６２及び６７で得られる平均ベクトルの大きさ、又は電力値から変調方式を推定するようにしていたが、これに代えて、平均ベクトル算出部６２及び６７で得られる平均ベクトルの終点座標、すなわち、平均ベクトル算出部６２及び６７で得られる平均値ａｖｅ（｜Ｉ｜）及びａｖｅ（｜Ｑ｜）が、いずれも一定の範囲内にあるか否かによって変調方式を推定するようにしてもよい。
【００９９】
また、部分受信判定部２０によれば、一定の受信条件内においては判定精度が確保されるので、部分受信部の有無に関するＴＭＣＣ情報（部分受信フラグ）の取得処理を省略し、この処理のための回路を削減することも可能である。
【０１００】
また、本実施形態において、周波数デインターリーブ部３２と時間デインターリーブ部３４とを、それぞれ別個の構成要素であるとして説明を行ったが、それぞれキャリア単位でインターリーブの解除を行うものであるので、これらを統合してデインターリーブを行うように構成してもよい。この点は、以下の他の実施形態においても同様である。
【０１０１】
また、電力算出部６３，６８が、平均ベクトルの振幅を求め、閾値比較部６４，６９が、求められた平均ベクトルの振幅と所定の閾値との比較を行うようにしてもよい。
【０１０２】
以上で説明したように、本実施形態のＯＦＤＭ受信装置は、ＴＭＣＣ情報における部分受信フラグの取得を待つことなく、部分受信部の有無を判定する。このため、周波数デインターリーブの処理を早期に開始することができるので、受信装置が受信を開始してから映像、音声等を出力するまでの時間を短縮することができる。
【０１０３】
（第２の実施形態）
図１６は、本発明の第２の実施形態に係るＯＦＤＭ復調誤り訂正部２０４の構成例を示すブロック図である。第２の実施形態では、図１のＯＦＤＭ受信装置において、ＯＦＤＭ復調誤り訂正部４に代えて、ＯＦＤＭ復調誤り訂正部２０４を用いる。図１６のＯＦＤＭ復調誤り訂正部２０４は、図２のＯＦＤＭ復調誤り訂正部４において、部分受信判定部２０に代えて部分受信判定部２２０を備えたものである。その他の構成要素は、図２を参照して説明したものと同様であるので、同一の参照番号を付してその説明を省略する。
【０１０４】
ＩＳＤＢ−Ｔにおいて、部分受信のサービスが行われる場合には、部分受信部、すなわち中央セグメントの変調方式としては、ＱＰＳＫ又は１６ＱＡＭが選ばれ、その他のセグメント、すなわち非中央セグメントの変調方式としては、６４ＱＡＭが選ばれる可能性が高い。すなわち、中央セグメントと非中央セグメントとの変調方式に差異がある可能性が高い。
【０１０５】
そこで本実施形態の部分受信判定部２２０は、等化部１８より供給された波形等化後のＯＦＤＭ信号に基づいて、そのキャリアの変調方式を推定し、推定結果に基づいて、中央セグメントに属する複数のキャリアの変調方式と、非中央セグメントに属する複数のキャリアの変調方式との比較を行い、両者に差異があれば「部分受信部あり」と判定し、両者に差異がなければ「部分受信部なし」と判定する。そして、周波数デインターリーブ部３２は、部分受信判定部２２０による判定結果に応じて、周波数デインターリーブ処理を行う。
【０１０６】
図１６のように、部分受信判定部２２０は、セグメント抽出部２２，２３と、変調方式推定部２４，２５と、判定部２２６とを備えている。セグメント抽出部２２は、等化部１８より供給される波形等化後のＯＦＤＭ信号より、中央セグメントに属するキャリアを抽出して変調方式推定部２４に出力する。変調方式推定部２４は、セグメント抽出部２２より供給される中央セグメントに属するキャリアについて、変調方式を推定し、推定結果を判定部２２６に出力する。
【０１０７】
セグメント抽出部２３は、等化部１８より供給される波形等化後のＯＦＤＭ信号より、非中央セグメント（セグメント番号１〜１２の１２個のセグメント）に属するキャリアを抽出して変調方式推定部２５に出力する。変調方式推定部２５は、セグメント抽出部２３より供給される非中央セグメントに属するキャリアについて、変調方式を推定し、推定結果を判定部２２６に出力する。変調方式推定部２５は、図４を参照して説明した変調方式推定部２４とほぼ同様に構成されており、ここではその詳細な説明は省略する。
【０１０８】
判定部２２６は、変調方式推定部２４及び２５よりそれぞれ供給される、中央セグメントに属するキャリアの変調方式及び非中央セグメントに属するキャリアの変調方式についての推定結果に基づき、部分受信用の階層の有無を判定する。すなわち、判定部２２６は、中央セグメントに属するキャリアの変調方式の推定結果と非中央セグメントに属するキャリアの変調方式とを比較し、両者が異なる場合には「部分受信部あり」と判定し、両者が同一である場合には「部分受信部なし」と判定する。
【０１０９】
例えば、変調方式推定部２４から供給される中央セグメントの変調方式の推定結果が「ＱＰＳＫ」であり、変調方式推定部２５から供給される非中央セグメントの変調方式の推定結果が「６４ＱＡＭ」である場合には、変調方式に差異があるので、判定部２２６は「部分受信部あり」と判定する。また、例えば、中央セグメントの変調方式も非中央セグメントの変調方式も、推定結果が６４ＱＡＭである場合には、変調方式に差異がないので、判定部２２６は「部分受信部なし」と判定する。判定部２２６の判定結果は、部分受信判定部２２０の出力として周波数デインターリーブ部３２に出力される。
【０１１０】
以上で説明したように、図１６のＯＦＤＭ受信装置は、ＴＭＣＣ情報における部分受信フラグの取得を待つことなく、部分受信部の有無を判定する。このため、周波数デインターリーブの処理を早期に開始することができるので、受信装置が受信を開始してから映像、音声等を出力するまでの時間を短縮することができる。
【０１１１】
なお、部分受信判定部２２０のセグメント抽出部２３が、非中央セグメントとしてセグメント番号１〜１２の１２個のセグメントに属するキャリアを変調方式推定部２５に出力するものとして説明したが、出力するセグメントはこれらに限らない。非中央セグメントに属する任意のセグメントに属するキャリアを変調方式推定部２５に出力するものとしてもかまわない。例えば、伝送スペクトル上の中央セグメントに隣接するセグメント番号１及び２のセグメントに属するキャリアのみを変調方式推定部２５に出力するようにしてもよい。この場合には、推定精度を大きく劣化させることなく、演算に要する消費電力を低減することができる。
【０１１２】
また、部分受信判定部２２０が変調方式推定部２４及び２５を備えるとして説明したが、変調方式推定部２４及び２５に代えて１つの変調方式推定部を備えることとし、この変調方式推定部が変調方式推定部２４及び２５と同様に動作するようにしてもよい。
【０１１３】
また、本実施形態においては、説明の便宜上、部分受信判定部２２０が変調方式推定部２４及び２５を備え、変調方式推定部２４が中央セグメントの変調方式を推定し、変調方式推定部２５が非中央セグメントの変調方式を推定するものとして説明した。しかし、これに代えて、部分受信判定部２２０が変調方式推定部２４及び２５に代わる１つの変調方式推定部を備えることとし、この１つの変調方式推定部が変調方式推定部２４及び２５と同様に動作する、すなわち、中央セグメント及び非中央セグメントの変調方式を推定するようにしてよい。この場合においても、１つの変調方式推定部で得られる推定結果、すなわち、中央セグメントの変調方式と非中央セグメントの変調方式との比較に基づき、判定部２２６が部分受信用の階層の有無を判定することが可能である。
【０１１４】
（第３の実施形態）
図１７は、本発明の第３の実施形態に係るＯＦＤＭ復調誤り訂正部３０４の構成例を示すブロック図である。第３の実施形態では、図１のＯＦＤＭ受信装置において、ＯＦＤＭ復調誤り訂正部４に代えて、ＯＦＤＭ復調誤り訂正部３０４を用いる。図１７のＯＦＤＭ復調誤り訂正部３０４は、図２のＯＦＤＭ復調誤り訂正部４において、伝送制御情報取得部４６と、選択部４８とを更に備えたものである。その他の構成要素は、図２を参照して説明したものと同様であるので、同一の参照番号を付してその説明を省略する。
【０１１５】
伝送制御情報取得部４６は、ＦＦＴ部１６から周波数領域のＯＦＤＭ信号を受け取り、変調方式や符号化率等の復調、誤り訂正の処理に必要な各種の伝送制御情報（ＩＳＤＢ−ＴにおけるＴＭＣＣ情報）の復号、取得を行うとともに、取得した部分受信部の有無に関する情報、すなわち部分受信フラグＦＰを選択部４８に出力する。また、伝送制御情報取得部４６は、部分受信フラグＦＰの取得が完了したか否かを示すフラグＦＦ（以下では、「取得完了フラグ」と称する）を、選択部４８に出力する。部分受信判定部２０は、等化部１８で得られる波形等化結果に基づき、部分受信部の有無を判定し、判定結果を選択部４８に出力する。
【０１１６】
選択部４８は、伝送制御情報取得部４６より得られる取得完了フラグＦＦが、部分受信フラグＦＰの取得を完了していないことを示している場合には、部分受信判定部２０が出力する部分受信部の有無についての判定結果を選択し、取得完了フラグＦＦが部分受信フラグＦＰの取得を完了していることを示している場合には、伝送制御情報取得部４６が出力する部分受信フラグＦＰを選択し、選択結果である部分受信部の有無についての情報を周波数デインターリーブ部３２に出力する。
【０１１７】
周波数デインターリーブ部３２は、選択部４８から出力される部分受信部の有無についての情報に基づいて、等化部１８から出力されるＯＦＤＭ信号に対して周波数デインターリーブ処理を行い、処理結果を時間デインターリーブ部３４に出力する。
【０１１８】
ＩＳＤＢ−Ｔの規格において、ＴＭＣＣキャリアは、伝送路での外乱に対する耐性が非常に高く、またＴＭＣＣ情報に対する誤り訂正処理等を行うことも可能な設計がなされているので、その復号結果に対する信頼性は非常に高いものとなっている。そこで、本実施形態では、伝送制御情報として得られる部分受信フラグＦＰの取得が完了するまでの段階では、早期に判定結果の得られる部分受信部２０による判定結果を用い、部分受信フラグＦＰの取得が完了した後の段階では、部分受信フラグＦＰの値を用いて、部分受信部の有無に応じて周波数デインターリーブを行うようにしている。
【０１１９】
このため、伝送路での外乱の影響が比較的少ない場合には、部分受信判定部２０により早期に部分受信部の有無の推定を行って、映像、音声等が出力されるまでの時間を短縮することができる一方、部分受信部２０が推定を誤るような伝送路環境下でも、伝送制御情報として得られた部分受信フラグＦＰを参照することができるので、より正確な部分受信部の有無に関する情報を得ることが可能となる。
【０１２０】
なお、本実施形態において伝送制御情報の捕捉・完了を示す取得完了フラグＦＦは、部分受信フラグＦＰのみの取得完了を示すものであってもよいし、伝送制御情報全体の取得完了を示すものであってもよい。
【０１２１】
また、本実施形態において、部分受信判定部２０に代えて図１６の部分受信判定部２２０を用いるようにしてもよい。
【０１２２】
（第４の実施形態）
図１８は、本発明の第４の実施形態に係るＯＦＤＭ復調誤り訂正部４０４の構成例を示すブロック図である。第４の実施形態では、図１のＯＦＤＭ受信装置において、ＯＦＤＭ復調誤り訂正部４に代えて、ＯＦＤＭ復調誤り訂正部４０４を用いる。図１８のＯＦＤＭ復調誤り訂正部４０４は、直交検波部１４と、ＦＦＴ部１６と、等化部１８と、変調方式推定部４２４と、デマップ部４４２と、誤り訂正部４４４とを備えている。図２を参照して説明した構成要素と同様のものについては、同一の参照番号を付してその説明を省略する。
【０１２３】
等化部１８は、周波数領域のＯＦＤＭ信号に対して伝送路で生じた歪みの波形等化を行って、波形等化後のＯＦＤＭ信号を変調方式推定部４２４及びデマップ部４４２に出力する。変調方式推定部４２４は、入力された波形等化後のＯＦＤＭ信号よりキャリアの変調方式を推定し、推定結果をデマップ部４４２に出力する。変調方式推定部４２４は、図４を参照して説明した変調方式推定部２４と同様に構成されているものとし、詳細な説明は省略する。
【０１２４】
デマップ部４４２は、変調方式推定部４２４で得られた変調方式の推定結果に基づき、等化部１８から入力される波形等化後のＯＦＤＭ信号に対して軟判定を行い、軟判定メトリックデータを誤り訂正部４４４に出力する。誤り訂正部４４４は、各種インターリーブの解除処理、及びビタビ復号やＲＳ復号等の誤り訂正復号化の処理を行い、その結果を出力する。
【０１２５】
図１８のＯＦＤＭ復調誤り訂正部４０４によれば、従来の受信装置のように、例えばＩＳＤＢ−Ｔの場合にはＴＭＣＣ情報として伝送される、キャリア変調方式に関する情報を取得することなく、変調方式推定部４２４が波形等化されたキャリアに基づいて変調方式（例えばＱＰＳＫ、１６ＱＡＭ、６４ＱＡＭのうちのいずれか）を推定し、この推定結果を用いてデマップ部４４２で軟判定を行うことが可能となる。このため、ＴＭＣＣ情報のような伝送制御情報の取得に要する時間が不要となり、受信開始から映像、音声等を出力するまでの時間の短縮を図ることができる。
【０１２６】
なお、本実施形態のＯＦＤＭ復調誤り訂正部４０４によれば、受信対象となるＯＦＤＭ信号の変調方式が伝送帯域内の全データキャリアついて同一であることが前提となっているＯＦＤＭ信号を受信する場合には、変調方式推定部４２４によるキャリア変調方式の推定精度が上がるので、より高い効果が得られる。
【０１２７】
例えば、日本において採用されている地上デジタル音声放送方式（ＩＳＤＢ−ＴＳＢ）のＡ階層又はＩＳＤＢ−Ｔの部分受信部のみを受信する１セグメント専用受信装置等においては、受信する帯域のＯＦＤＭ信号の変調方式が全データキャリアについて同一である。このため、このような装置に図１８のようなＯＦＤＭ復調誤り訂正部４０４を用いると、ＴＭＣＣ情報によりキャリア変調方式に関する情報を取得していた従来の受信装置に比べて、受信開始から音声を出力するまでの時間を大幅に短縮することができる。
【０１２８】
同様に、欧州の地上デジタルテレビジョン放送方式であるＤＶＢ−Ｔ又はＤＶＢ−Ｈを受信する場合に関しても、本実施の形態を適用する効果が得られる。ＤＶＢ−Ｔ又はＤＶＢ−Ｈでは、全帯域のＯＦＤＭ信号の変調方式が同一であり、このキャリア変調方式についての情報はＴＰＳ（Transmission Parameter Signalling）と呼ばれる伝送制御情報として伝送される。このようなＯＦＤＭ信号を受信する場合にも、ＴＰＳによるキャリア変調方式に関する情報を取得していた従来の受信装置に比べて、受信開始から映像、音声等を出力するまでの時間の短縮を図ることができる。
【０１２９】
また、第４の実施形態においては、ＯＦＤＭ信号を対象としてキャリアの変調方式の推定について説明したが、シングルキャリアの伝送システムの場合であっても同様の処理が可能である（この場合、ＦＦＴ部は不要であり、等化部も不要である場合がある）。すなわち、受信されたキャリアのＩ−Ｑ平面上における信号点のうち、所定の領域に存在する信号点を表すベクトルを時間的に平均して、平均ベクトルを算出し、更にこの平均ベクトルの振幅又は振幅の２乗と所定の閾値とを比較することによって、キャリアの変調方式を求め、軟判定を行うようにすることができる。
【０１３０】
（第５の実施形態）
図１９は、本発明の第５の実施形態に係るＯＦＤＭ復調誤り訂正部５０４の構成例を示すブロック図である。第５の実施形態では、図１のＯＦＤＭ受信装置において、ＯＦＤＭ復調誤り訂正部４に代えて、ＯＦＤＭ復調誤り訂正部５０４を用いる。図１９のＯＦＤＭ復調誤り訂正部５０４は、図１８のＯＦＤＭ復調誤り訂正部４０４において、伝送制御情報取得部５４６と、選択部５４８とを更に備えたものである。その他の構成要素は、図２，図１８を参照して説明したものと同様であるので、同一の参照番号を付してその説明を省略する。
【０１３１】
伝送制御情報取得部５４６は、ＦＦＴ部１６より供給された周波数領域のＯＦＤＭ信号から、変調方式や符号化率等の復調、誤り訂正の処理に必要な各種の伝送制御情報（例えば、ＩＳＤＢ−ＴにおけるＴＭＣＣ情報、ＤＶＢ−ＴにおけるＴＰＳ情報等）の取得を行い、キャリアの変調方式に関する情報ＭＩを選択部５４８に出力する。また、伝送制御情報取得部５４６は、キャリアの変調方式に関する情報ＭＩ等の取得が完了したか否かを示すフラグ（取得完了フラグＦＩ）を、選択部５４８に出力する。
【０１３２】
等化部１８は、波形等化結果を変調方式推定部４２４及びデマップ部４４２に出力する。変調方式推定部４２４は、入力された波形等化後のＯＦＤＭ信号よりキャリアの変調方式を推定し、推定結果を選択部５４８に出力する。
【０１３３】
選択部５４８は、伝送制御情報取得部５４６より得られる取得完了フラグＦＩがキャリアの変調方式に関する情報ＭＩの取得を完了していないことを示している場合には、変調方式推定部４２４の推定結果を選択し、逆に、取得完了フラグＦＩがキャリアの変調方式に関する情報ＭＩの取得を完了していることを示している場合には、伝送制御情報取得部５４６が供給するキャリアの変調方式に関する情報ＭＩを選択し、選択結果をデマップ部４４２に出力する。
【０１３４】
デマップ部４４２は、選択部５４８から供給された選択結果に基づき、等化部１８から供給される波形等化後のＯＦＤＭ信号に対して軟判定を行い、軟判定メトリックデータを誤り訂正部４４４に出力する。
【０１３５】
ＩＳＤＢ−Ｔの規格において、取得されたＴＭＣＣ情報に対する信頼性は非常に高いものとなっている。そこで、本実施形態では、ＴＭＣＣ情報等の伝送制御情報として伝送されるキャリアの変調方式に関する情報の取得が完了するまでの段階では、早期に推定結果の得られる変調方式推定部４２４によって得られるキャリアの変調方式に関する情報を用い、伝送制御情報の取得が完了した後の段階では、伝送制御情報として得られる情報を用いて、キャリア変調方式に応じてデマップを行うことを特徴としている。
【０１３６】
このため、伝送路での外乱などの影響が比較的少ない場合には、変調方式推定部４２４により早期にキャリア変調方式の推定を行って、映像、音声等が出力されるまでの時間を短縮することができる。一方、変調方式推定部４２４が推定を誤るような伝送路環境下でも、伝送制御情報として得られたキャリア変調方式に関する情報ＭＩを用いることができるので、より正確なキャリア変調方式に関する情報を得ることが可能となる。
【０１３７】
なお、本実施形態において伝送制御情報の取得完了を示す取得完了フラグＦＩは、キャリア変調方式に関する情報ＭＩのみの取得完了を示すものであってもよいし、伝送制御情報全体の取得完了を示すものであってもよい。
【０１３８】
なお、本実施形態も、第４の実施形態と同様に、ＩＳＤＢ−ＴＳＢのＡ階層又はＩＳＤＢ−Ｔの部分受信部のみを受信する１セグメント専用受信装置や、ＤＶＢ−Ｔ、ＤＶＢ−Ｈ用の受信装置等に適用が可能である。本実施形態によると、ＴＭＣＣ情報やＴＰＳなどの伝送制御情報からキャリア変調方式に関する情報を取得していた従来の受信装置に比べて、受信開始から映像、音声等を出力するまでの時間の短縮を図ることができる。
【０１３９】
（第６の実施形態）
図２０は、本発明の第６の実施形態に係るＯＦＤＭ復調誤り訂正部６０４の構成例を示すブロック図である。第６の実施形態では、図１のＯＦＤＭ受信装置において、ＯＦＤＭ復調誤り訂正部４に代えて、ＯＦＤＭ復調誤り訂正部６０４を用いる。図２０のＯＦＤＭ復調誤り訂正部６０４は、図１６のＯＦＤＭ復調誤り訂正部２０４において、部分受信判定部２２０に代えて部分受信判定部６２０を備え、デマップ部４２に代えてデマップ部６４２を備えたものである。その他の構成要素は、図２，図１６を参照して説明したものと同様であるので、同一の参照番号を付してその説明を省略する。
【０１４０】
等化部１８は、波形等化結果を部分受信判定部６２０及び周波数デインターリーブ部３２に出力する。部分受信判定部６２０は、図１６の部分受信判定部２２０とほぼ同様に構成されているが、中央セグメントの変調方式及び非中央セグメントの変調方式を示す信号が外部に出力される点が異なっている。
【０１４１】
判定部２２６は、部分受信用の階層の有無についての判定結果を周波数デインターリーブ部３２に出力する。変調方式推定部２４は、中央セグメントの変調方式を求めてデマップ部６４２に出力し、変調方式推定部２５は、非中央セグメントの変調方式を求めてデマップ部６４２に出力する。
【０１４２】
デマップ部６４２は、等化部１８から供給される波形等化後のＯＦＤＭ信号に対して軟判定を行い、軟判定メトリックデータを誤り訂正部４４に出力する。ここで、デマップ部６４２は、変調方式推定部２４及び２５で得られた変調方式の推定結果に基づいて、中央セグメント及び非中央セグメントのそれぞれのキャリアについての軟判定を行う。
【０１４３】
図２０のＯＦＤＭ復調誤り訂正部６０４によれば、受信信号によって（例えばＩＳＤＢ−Ｔの場合にはＴＭＣＣ情報として）伝送される、部分受信部の有無に関する情報及びキャリア変調方式に関する情報を取得することなく、部分受信判定部６２０による部分受信部の有無についての判定結果に基づいて周波数デインターリーブを行うとともに、部分受信判定部６２０による変調方式の推定結果を用いてデマップ部６４２で軟判定を行うことが可能となる。このため、ＴＭＣＣ情報の取得に要する時間が不要となり、受信開始から映像、音声等を出力するまでの時間の短縮を図ることができる。
【０１４４】
なお、本実施形態に関しても、図１７等を参照して説明したように、伝送制御情報取得部及び選択部を備えるようにし、部分受信判定部６２０で得られる部分受信部の有無に関する情報及び変調方式に関する情報と、ＴＭＣＣ情報等から得られる情報とを、適宜選択して用いるようにしてもよい。
【０１４５】
また、本実施形態では、部分受信判定部６２０が中央セグメントと非中央セグメントとにおける変調方式の差異を検出して部分受信部の有無を判定するものとして説明したが、これに代えて第１の実施形態で説明した部分受信部２０を同様に用い、部分受信部２０で得られる変調方式の推定結果を利用するようにしてもよい。この場合、変調方式の異なる２階層以上の階層伝送がなされた場合には変調方式の推定はできなくなるが、変調方式が伝送帯域内の全セグメントにわたって同一となるような場合には、変調方式や部分受信部の有無の推定が可能となり、ＴＭＣＣ情報による部分受信フラグや変調方式を取得する時間が不要となる。したがって、この場合も受信開始から映像、音声等を出力するまでの時間の短縮を図ることができる。
【０１４６】
（第７の実施形態）
図２１は、本発明の第７の実施形態に係るＯＦＤＭ復調誤り訂正部７０４の構成例を示すブロック図である。第７の実施形態では、図１のＯＦＤＭ受信装置において、ＯＦＤＭ復調誤り訂正部４に代えて、ＯＦＤＭ復調誤り訂正部７０４を用いる。図２１のＯＦＤＭ復調誤り訂正部７０４は、図２のＯＦＤＭ復調誤り訂正部４において、デインターリーブ部３０に代えてデインターリーブ部７３０を備え、伝送制御情報取得部４６を更に備えたものである。その他の構成要素は、図２を参照して説明したものと同様であるので、同一の参照番号を付してその説明を省略する。
【０１４７】
図２１のデインターリーブ部７３０は、周波数デインターリーブ部３２と、時間デインターリーブ部７３４とを有している。伝送制御情報取得部４６は、ＦＦＴ部１６より供給された周波数領域のＯＦＤＭ信号から、変調方式や符号化率等の復調、誤り訂正の処理に必要な各種の伝送制御情報（ＩＳＤＢ−ＴにおけるＴＭＣＣ情報）の取得を行い、得られた時間インターリーブ長を時間デインターリーブ部７３４に出力する。
【０１４８】
周波数デインターリーブ部３２は、部分受信判定部２０より供給された判定結果に基づき、部分受信部がある場合とない場合とのそれぞれに適した方法で、等化部１８の出力に対して周波数インターリーブの解除（周波数デインターリーブ）を行い、周波数デインターリーブされたＯＦＤＭ信号を時間デインターリーブ部７３４に出力する。
【０１４９】
時間デインターリーブ部７３４は、周波数デインターリーブ部３２より供給された周波数インターリーブ解除後のＯＦＤＭ信号に対して、伝送制御情報取得部４６より供給される時間インターリーブ長に応じて時間インターリーブの解除（時間デインターリーブ）を行い、時間デインターリーブされたＯＦＤＭ信号をデマップ部４２に出力する。
【０１５０】
時間デインターリーブ部７３４は、書き込みアドレス生成部７３６と、読み出しアドレス生成部７３７と、メモリ制御部７３８と、メモリ７３９とを有している。書き込みアドレス生成部７３６は、時間デインターリーブ部７３４に供給されるＯＦＤＭ信号をメモリ７３９に書き込むためのアドレスを生成し、書き込みアドレスとしてメモリ制御部７３８に出力する。書き込みアドレス生成部７３６は、受信動作開始時において、伝送制御情報取得部４６による時間インターリーブ長が未取得の状態、すなわち時間インターリーブ長に関するＴＭＣＣ情報が時間デインターリーブ部７３４に未だ正しく供給されていない状態であっても、書き込みアドレスの生成を開始する。
【０１５１】
読み出しアドレス生成部７３７は、時間インターリーブ解除後のＯＦＤＭ信号としてメモリ７３９からＯＦＤＭ信号を読み出すためのアドレスを、読み出しアドレスとして生成し、メモリ制御部７３８に出力する。読み出しアドレス生成部７３７は、伝送制御情報取得部４６より供給される時間インターリーブ長に基づいて、読み出しアドレスを生成する。
【０１５２】
メモリ制御部７３８は、書き込みアドレス生成部７３６及び読み出しアドレス生成部７３７よりそれぞれ供給される書き込みアドレス及び読み出しアドレスを、アドレスＡＤとしてメモリ７３９に出力する。また、メモリ制御部７３８は、書き込みアドレスに従って時間デインターリーブ部７３４に供給されるＯＦＤＭ信号のメモリ７３９へのデータＤＴの書き込みを制御するとともに、読み出しアドレスに従ってメモリ７３９からのデータＤＴの読み出しを制御して、読み出されたデータを時間インターリーブの解除が施されたＯＦＤＭ信号としてデマップ部４２に出力する。
【０１５３】
図２２は、ＴＭＣＣ情報の取得完了後に時間インターリーブを開始する場合について、ＴＭＣＣ情報の取得状況と時間デインターリーブの解除タイミングとの関係を示すタイミングチャートである。図２３は、ＴＭＣＣ情報の取得完了を待たずに時間インターリーブを開始する場合について、ＴＭＣＣ情報の取得状況と時間デインターリーブの解除タイミングとの関係を示すタイミングチャートである。
【０１５４】
ＩＳＤＢ−Ｔでは、移動受信時の特性を向上させるため、送信側ではキャリアごとにデータの遅延量をシンボル単位でずらしておき、受信側でこれを元に戻すことにより、伝送路で生じる集中的な誤りを分散させる効果のある時間インターリーブが採用されている。その分散期間を示す時間インターリーブ長Ｉは、サービス内容に応じてＩ＝０，１，２，４（Ｍｏｄｅ３の場合）の中から送信局側で任意に選択することが可能になっている。時間インターリーブによるデータの分散期間は、Ｉ＝０の場合０シンボル、Ｉ＝１の場合９５シンボル、Ｉ＝２の場合１９０シンボル、Ｉ＝４の場合３８０シンボルである。この時間インターリーブ長に関するＴＭＣＣ情報は、シンボル番号３４，３５，３６（Ａ階層の時間インターリーブ長の場合）のシンボルにおいてＴＭＣＣキャリアによって伝送される。
【０１５５】
いま、時刻ｔ０で受信動作を開始し、時間インターリーブ長に関するＴＭＣＣ情報の取得を時刻ｔ１に開始し、時刻ｔ２に完了したとする。また、時刻ｔ１はあるフレームのシンボル番号３７の時刻であり、時刻ｔ２は次のフレームのシンボル番号３７の時刻であるとする。受信しようとするＯＦＤＭ信号の時間インターリーブ長Ｉは、２（分散期間１９０シンボル）であるとする。時間インターリーブ長Ｉ＝２の場合、メモリには１９０シンボル分のデータを書き込んでおく必要があるので、書き込みを開始してから１９０シンボルの期間を経過した後に、初めて有効なデータが読み出されることになる。
【０１５６】
図２２に示すように、時間インターリーブ長の取得が完了した時刻ｔ２にメモリへの書き込みを開始した場合、時刻ｔ２から１９０シンボルの期間経過後の時刻ｔ３のタイミング（シンボル番号２２のタイミング）からメモリより有効データの読み出しが可能され、この時刻から、時間インターリーブが解除されたＯＦＤＭ信号が出力可能となる。
【０１５７】
一方、図２３に示すように、時間インターリーブ長の取得が完了する前にメモリへの書き込みを開始した場合、すなわち、例えば時間インターリーブ長の取得を開始する時刻ｔ１にメモリへの書き込みを開始した場合を考える。時刻ｔ１からｔ２までの期間には、時間インターリーブ長が不明であるので、有効な信号は出力できないが、時刻ｔ２では書き込みを開始してから１９０シンボル以上の期間が経過しているため、時間インターリーブ長の取得が完了すると、直ちにこのタイミングから時間インターリーブが解除されたＯＦＤＭ信号の出力可能となる。すなわち、図２２の場合に比べると、１９０シンボル分の期間だけ早期に時間インターリーブが解除されたＯＦＤＭ信号が得られることになる。
【０１５８】
そこで、本実施形態における時間デインターリーブ部７３４においては、伝送制御情報取得部４６における時間インターリーブ長の取得前の時点でメモリ７３９へのＯＦＤＭ信号の書き込みを開始しておき、時間インターリーブ長の取得が完了した時点で、メモリ７３９からこの時間インターリーブ長に応じた読み出しを開始するようにしておく。ここで、メモリ７３９へのＯＦＤＭ信号の書き込みを行う際には、時間インターリーブ長が最大のものを想定して書き込むようにしておけばよい。
【０１５９】
この結果、時間インターリーブ長の取得後にこの時間インターリーブ長に応じた書き込みを開始する場合に比べて、時間デインターリーブされたＯＦＤＭ信号を早期に出力することが可能となる。このため、受信開始から映像、音声等の出力までの時間の短縮を図ることができる。
【０１６０】
なお、本実施形態では、説明の便宜上、周波数デインターリーブ部３２と時間デインターリーブ部７３４とを別個の構成要素として説明を行ったが、いずれもキャリア単位のインターリーブの処理であるので、これらを統合してメモリ量を削減することも可能である。すなわち、デインターリーブ部７３０に代えて、次のようなデインターリーブ部を用いるようにしてもよい。
【０１６１】
図２４は、図２１のデインターリーブ部の変形例の構成を示すブロック図である。図２４のデインターリーブ部８３０は、書き込みアドレス生成部８３６と、読み出しアドレス生成部８３７と、メモリ制御部８３８と、メモリ８３９とを有している。
【０１６２】
図２４の書き込みアドレス生成部８３６及び読み出しアドレス生成部８３７は、周波数インターリーブと時間インターリーブの解除を同時に行うように、それぞれのアドレスを生成する。この際、書き込みアドレス生成部８３６は、部分受信判定部２０から得られる部分受信部の有無の判定結果に基づいて、書き込みアドレスを生成する。読み出しアドレス生成部８３７は、伝送制御情報取得部４６によって取得された時間インターリーブ長に基づいて、読み出しアドレスを生成する。
【０１６３】
メモリ制御部８３８は、書き込みアドレス生成部８３６及び読み出しアドレス生成部８３７よりそれぞれ供給される書き込みアドレス及び読み出しアドレスを、アドレスＡＤとしてメモリ８３９に出力する。また、メモリ制御部８３８は、書き込みアドレスに従って、デインターリーブ部８３０に供給されるＯＦＤＭ信号をデータＤＴとしてメモリ８３９に書き込む制御をするとともに、読み出しアドレスに従って、メモリ８３９からのデータＤＴの読み出しを制御して、読み出されたデータを、周波数インターリーブ及び時間インターリーブの解除が施されたＯＦＤＭ信号としてデマップ部４２に出力する。
【０１６４】
メモリ制御部８３８は、時間インターリーブ長の取得前に、部分受信判定部２０から得られる部分受信部の有無の判定結果に基づいて、メモリ８３９へのＯＦＭＤ信号のデータの書き込みを開始しておき、時間インターリーブ長の取得完了時から、この時間インターリーブ長に応じて、メモリからのデータの読み出しを行うようにすればよい。この場合においても、図２１のデインターリーブ部７３０と同様に、周波数インターリーブ及び時間インターリーブの両方が解除されたＯＦＤＭ信号を早期に得ることが可能となる。
【０１６５】
また、本実施形態において、部分受信判定部２０に代えて図１６の部分受信判定部２２０を用いるようにしてもよい。
【０１６６】
また、本実施形態に関しても、図１７等を参照して説明したように選択部を備えるようにし、デインターリーブ部７３０が、部分受信判定部２０で得られる部分受信部の有無に関する情報と、ＴＭＣＣ情報から得られる情報とを、適宜選択して用いるようにしてもよい。
【０１６７】
以上の実施形態においては、主にベクトルとその成分とを用いて説明したが、ベクトルを、始点を原点Ｏとする位置ベクトルとし、そのベクトルの終点、並びに、その点のＩ軸座標及びＱ軸座標を用いても同様に説明することができる。
【０１６８】
また、以上の第１〜第７実施形態は、本発明に係る構成を例示したものであって、本発明はこれらの実施形態で説明された構成に限定されるものではない。例えば、信号処理の順序を入れ替えたり、複数の構成要素によって行われる信号処理を統合して行ったり、他の信号処理を組み合わせたり、信号処理の一部を省略してもよく、例示された構成で本発明の内容を限定するものではない。
【産業上の利用可能性】
【０１６９】
以上説明したように、本発明は、受信動作を開始してから映像、音声等を出力するまでの時間を大きく短縮することができるので、ＯＦＤＭ受信装置及びＯＦＤＭ受信方法等として有用である。
【図面の簡単な説明】
【０１７０】
【図１】図１は、本発明の実施形態に係るＯＦＤＭ受信装置の構成例を示すブロック図である。
【図２】図２は、図１のＯＦＤＭ復調誤り訂正部の第１の実施形態に係る構成例を示すブロック図である。
【図３】図３は、ＩＳＤＢ−Ｔに規定された送信信号のスペクトル図である。
【図４】図４は、図２の変調方式推定部の構成例を示すブロック図である。
【図５】図５は、キャリアの変調方式がＱＰＳＫである場合の送信時における信号点配置図（コンスタレーション）である。
【図６】図６は、キャリアの変調方式が１６ＱＡＭである場合の送信時における信号点配置図である。
【図７】図７は、キャリアの変調方式が６４ＱＡＭである場合の送信時における信号点配置図である。
【図８】図８（ａ）は、キャリアがＱＰＳＫ方式で変調されている場合の理想的な信号点を、領域Ｓ１において示す図である。図８（ｂ）は、キャリアがＱＰＳＫ方式で変調されている場合に、実際に受信されるキャリアの信号点の存在範囲を示す図である。図８（ｃ）は、実際に受信されるキャリアの平均ベクトルを示す図である。
【図９】図９（ａ）は、キャリアが１６ＱＡＭ方式で変調されている場合の理想的な信号点を、領域Ｓ１において示す図である。図９（ｂ）は、キャリアが１６ＱＡＭ方式で変調されている場合に、実際に受信されるキャリアの信号点の存在範囲を示す図である。図９（ｃ）は、実際に受信されるキャリアの平均ベクトルを示す図である。
【図１０】図１０（ａ）は、キャリアが６４ＱＡＭ方式で変調されている場合の理想的な信号点を、領域Ｓ１において示す図である。図１０（ｂ）は、キャリアが６４ＱＡＭ方式で変調されている場合に、実際に受信されるキャリアの信号点の存在範囲を示す図である。図１０（ｃ）は、実際に受信されるキャリアの平均ベクトルを示す図である。
【図１１】図１１は、図４の平均ベクトル算出部６２で求められた平均ベクトルＡＱ，Ａ１６，Ａ６４を示す図である。
【図１２】図１２（ａ）は、キャリアが１６ＱＡＭ方式で変調されている場合の理想的な信号点を、領域Ｓ２において示す図である。図１２（ｂ）は、キャリアが１６ＱＡＭ方式で変調されている場合に、実際に受信されるキャリアの信号点の存在範囲を示す図である。図１２（ｃ）は、実際に受信されるキャリアの平均ベクトルを示す図である。
【図１３】図１３（ａ）は、キャリアが６４ＱＡＭ方式で変調されている場合の理想的な信号点を、領域Ｓ２において示す図である。図１３（ｂ）は、キャリアが６４ＱＡＭ方式で変調されている場合に、実際に受信されるキャリアの信号点の存在範囲を示す図である。図１３（ｃ）は、実際に受信されるキャリアの平均ベクトルを示す図である。
【図１４】図１４は、図４の平均ベクトル算出部６７で求められた平均ベクトルＡ１６’，Ａ６４’を示す図である。
【図１５】図１５は、図４の変調方式判定部における処理の流れを示すフローチャートである。
【図１６】図１６は、本発明の第２の実施形態に係るＯＦＤＭ復調誤り訂正部の構成例を示すブロック図である。
【図１７】図１７は、本発明の第３の実施形態に係るＯＦＤＭ復調誤り訂正部の構成例を示すブロック図である。
【図１８】図１８は、本発明の第４の実施形態に係るＯＦＤＭ復調誤り訂正部の構成例を示すブロック図である。
【図１９】図１９は、本発明の第５の実施形態に係るＯＦＤＭ復調誤り訂正部の構成例を示すブロック図である。
【図２０】図２０は、本発明の第６の実施形態に係るＯＦＤＭ復調誤り訂正部の構成例を示すブロック図である。
【図２１】図２１は、本発明の第７の実施形態に係るＯＦＤＭ復調誤り訂正部の構成例を示すブロック図である。
【図２２】図２２は、ＴＭＣＣ情報の取得完了後に時間インターリーブを開始する場合について、ＴＭＣＣ情報の取得状況と時間デインターリーブの解除タイミングとの関係を示すタイミングチャートである。
【図２３】図２３は、ＴＭＣＣ情報の取得完了を待たずに時間インターリーブを開始する場合について、ＴＭＣＣ情報の取得状況と時間デインターリーブの解除タイミングとの関係を示すタイミングチャートである。
【図２４】図２４は、図２１のデインターリーブ部の変形例の構成を示すブロック図である。
【図２５】図２５は、単一階層伝送を行う場合のＯＦＤＭ信号の周波数インターリーブの様子を示す模式図である。
【図２６】図２６は、部分受信のための２階層伝送を行う場合のＯＦＤＭ信号の周波数インターリーブの様子を示す模式図である。
【図２７】図２７は、ＴＭＣＣ情報の取得タイミングについての説明図である。
【符号の説明】
【０１７１】
１４  直交検波部
１６  ＦＦＴ部（高速フーリエ変換部）
１８  等化部
２０，２２０，６２０  部分受信判定部
２２，２３  セグメント抽出部
２４，２５，４２４  変調方式推定部
２６，２２６  判定部
３０，７３０  デインターリーブ部
４２，４４２，６４２  デマップ部
４４  誤り訂正部
４６，５４６  伝送制御情報取得部
４８，５４８  選択部
【図１】
0004355337.tif 000002
【図２】
0004355337.tif 000003
【図３】
0004355337.tif 000004
【図４】
0004355337.tif 000005
【図５】
0004355337.tif 000006
【図６】
0004355337.tif 000007
【図７】
0004355337.tif 000008
【図８】
0004355337.tif 000009
【図９】
0004355337.tif 000010
【図１０】
0004355337.tif 000011
【図１１】
0004355337.tif 000012
【図１２】
0004355337.tif 000013
【図１３】
0004355337.tif 000014
【図１４】
0004355337.tif 000015
【図１５】
0004355337.tif 000016
【図１６】
0004355337.tif 000017
【図１７】
0004355337.tif 000018
【図１８】
0004355337.tif 000019
【図１９】
0004355337.tif 000020
【図２０】
0004355337.tif 000021
【図２１】
0004355337.tif 000022
【図２２】
0004355337.tif 000023
【図２３】
0004355337.tif 000024
【図２４】
0004355337.tif 000025
【図２５】
0004355337.tif 000026
【図２６】
0004355337.tif 000027
【図２７】
0004355337.tif 000028